(57)【要約】【課題】コイン通路を通過するコインに帯電した静電気を除去できるコインセレクタを提供する。【解決手段】立姿で相対するベースと開閉体との間に形成され、コイン投入口から投入されたコインをコイン排出口へと導くコイン通路と、前記コイン通路の底面を形成し、前記コイン通路を通過する前記コインの周面を支持する第１ガイド部材と、前記コイン通路の上側に配置され、前記コイン通路を通過する前記コインの上端部を支持する第２ガイド部材と、を有している。前記第１ガイド部材および前記第２ガイド部材の少なくとも一方が導電性を有し、導電性を有する前記第１ガイド部材および前記第２ガイド部材の少なくとも一方に電気的に接続される除電部を備えている。【選択図】図２５
2017068395.tif 000002
【特許請求の範囲】
【請求項１】
立姿で相対するベースと開閉体との間に形成され、コイン投入口から投入されたコインをコイン排出口へと導くコイン通路と、
前記コイン通路の底面を形成し、前記コイン通路を通過する前記コインの周面を支持する第１ガイド部材と、
前記コイン通路の上側に配置され、前記コイン通路を通過する前記コインの上端部を支持する第２ガイド部材と、を有し、
前記第１ガイド部材および前記第２ガイド部材の少なくとも一方が導電性を有し、
導電性を有する前記第１ガイド部材および前記第２ガイド部材の少なくとも一方に電気的に接続される除電部を備えたコインセレクタ。
【請求項２】
前記除電部は、前記ベースに形成された貫通孔に挿入される略棒状の端子を有し、
前記略棒状の端子は、一方の端部が前記第１ガイド部材および前記第２ガイド部材の少なくとも一方に当接して電気的に接続される請求項１に記載のコインセレクタ。
【請求項３】
前記除電部は、前記ベースに形成された貫通孔に挿入される略棒状の第１端子と導電性を有する弾性部材と略棒状の第２端子とを有し、
前記第１端子は、一方の端部が前記弾性部材を介して前記第２端子に電気的に接続されると共に、前記弾性部材によって前記第２端子と反対の方向に向かって付勢され、他方の端部が前記第１ガイド部材および第２ガイド部材の少なくとも一方に当接して電気的に接続される請求項１に記載のコインセレクタ。
【請求項４】
前記除電部は、
前記ベースに形成された貫通孔に挿入される略棒状の第１端子を有し、該第１端子の一方の端部が前記第１ガイド部材に当接して電気的に接続される第１除電部と、
前記ベースに形成された貫通孔に挿入される略棒状の第２端子と導電性を有する弾性部材と略棒状の第３端子とを有し、該第２端子は、一方の端部が前記弾性部材を介して前記第３端子に電気的に接続されると共に、前記弾性部材によって前記第３端子と反対の方向に向かって付勢され、他方の端部が第２ガイド部材に当接して電気的に接続される第２除電部と、
を備えた請求項１に記載のコインセレクタ。
【発明の詳細な説明】
【技術分野】
【０００１】
本発明は、投入されたコインの真偽を判別し、偽コインと真正コインを選別するコインセレクタに関し、特にパチスロ等の遊技機に好適に使用されるコインセレクタに関する。
【０００２】
なお、本発明に係るコインセレクタは、パチスロの他、コイン式ゲーム機や自動販売機等に使用可能である。また、本明細書において、コインとは、硬貨、メダルおよびトークン等の総称である。
【背景技術】
【０００３】
コインセレクタは、コインが転動するコイン通路などの部品が合成樹脂で形成されている。コインはその平面とコイン通路とが擦れ合いながらコイン通路を転動する。そのため、コインは、コイン通路を転動中に静電気を帯電する。コインセレクタは、コイン通路の近傍に、コイン通路を転動するコインを検知するためのセンサおよび正規のコインではない偽コインを排除するためのソレノイドなどが配置されている。コインがセンサやソレノイドなどの近傍を通過する際、コインに静電気が帯電していると、静電気によってセンサやソレノイドなどが誤動作するなどの弊害が発生する。そのため、コイン通路を転動するコインに帯電した静電気への対策が各種提案されている。
【０００４】
第１の従来技術として、メダルからの静電気対策として、センサのケースの素材に赤外線のみを透過させる可視光カット樹脂を使用する投入メダル選別装置が知られている（例えば、特許文献１）。
【０００５】
第１の従来技術では、可視光カット樹脂からなるケースを用いることで、ケースに入光用の開口穴を開けなくても投光素子から受光素子へと光を受光させることができるため、メダルからの静電気によるセンサへの影響が防止できる。しかしながら、メダル通路に向けて出没可能なブロッカを駆動させるソレノイドおよびソレノイドやセンサに接続される信号線はケースに覆われておらず、静電気によるセンサおよびソレノイドへの影響を防止できない。
【先行技術文献】
【特許文献】
【０００６】
【特許文献１】特開２００９−１１２５５９号公報（段落番号００３８〜００４６、図５〜図７）
【発明の概要】
【発明が解決しようとする課題】
【０００７】
本発明は、上述した従来技術の問題を考慮してなされたものであり、その目的とするところは、コイン通路を通過するコインに帯電した静電気を除去できるコインセレクタを提供することにある。なお、ここに明記しない本発明の他の目的は、以下の説明および添付図面から明らかである。
【課題を解決するための手段】
【０００８】
この目的を達成するため、本発明に係るコインセレクタは以下のように構成される。
【０００９】
（１）本発明のコインセレクタは、立姿で相対するベースと開閉体との間に形成され、コイン投入口から投入されたコインをコイン排出口へと導くコイン通路と、
前記コイン通路の底面を形成し、前記コイン通路を通過する前記コインの周面を支持する第１ガイド部材と、
前記コイン通路の上側に配置され、前記コイン通路を通過する前記コインの上端部を支持する第２ガイド部材と、を有し、
前記第１ガイド部材および前記第２ガイド部材の少なくとも一方が導電性を有し、
前記第１ガイド部材および前記第２ガイド部材の少なくとも一方に電気的に接続される除電部を備えたコインセレクタである。
【００１０】
本発明のコインセレクタでは、コイン通路の底面を形成し、コイン通路を通過するコインの周面を支持する第１ガイド部材と、コイン通路の上部でコイン通路を通過するコインの上端部を支持する第２ガイド部材と、を有している。第1ガイド部材および第2ガイド部材は、少なくとも一方が導電性を有している。コインセレクタは、第1ガイド部材および第2ガイド部材の少なくとも一方のガイド部材に電気的に接続される除電部を有している。コインは、コイン通路を通過する間に、コイン通路との摩擦により静電気が帯電する。しかしながら、第1ガイド部材および第2ガイド部材の少なくとも一方に除電部が電気的に接続されることによって、コインに帯電した静電気が除去される。したがって、コインに帯電した静電気がコインの通過を検知するセンサなどに与える影響が低減される。
【００１１】
（２）本発明のコインセレクタの好ましい例では、前記除電部は、前記第１ガイド部材および前記第２ガイド部材の少なくとも一方と相対する位置において、前記ベースに形成された貫通孔に挿入される略棒状の端子を有し、前記略棒状の端子は、一方の端部が前記第１ガイド部材および前記第２ガイド部材の少なくとも一方と当接して電気的に接続されている。
【００１２】
（３）本発明のコインセレクタの好ましい例では、前記第１ガイド部材および前記第２ガイド部材の少なくとも一方と相対する位置において前記ベースに貫通孔が形成され、前記貫通孔には、略棒状の第１端子と導電性を有する弾性部材と略棒状の第２端子とが挿入され、前記第１端子は、一方の端部が前記第２端子と前記弾性部材を介して電気的に接続されると共に、前記弾性部材によって前記第２端子と反対の方向に向かって付勢され、他方の端部が前記第１ガイド部材および第２ガイド部材の少なくとも一方と当接して電気的に接続されている。
【００１３】
（４）本発明のコインセレクタの好ましい例では、前記除電部は、前記ベースに形成された貫通孔に挿入される略棒状の第１端子を有し、該第１端子の一方の端部が前記第１ガイド部材に当接して電気的に接続される第１除電部と、前記ベースに形成された貫通孔に挿入される略棒状の第２端子と導電性を有する弾性部材と略棒状の第３端子とを有し、該第２端子は、一方の端部が前記弾性部材を介して前記第３端子に電気的に接続されると共に、前記弾性部材によって前記第３端子と反対の方向に向かって付勢され、他方の端部が第２ガイド部材に当接して電気的に接続される第２除電部と、を備えている。
【発明の効果】
【００１４】
本発明のコインセレクタでは、コイン通路を通過するコインが支持される前記第１ガイド部材および第２ガイド部材のうち少なくとも一方に電気的に接続される除電部を備えたことにより、コイン通路を通過中にコインに帯電した静電気を除去することができるので、コインに帯電した静電気によるコインの通過を検知するセンサなどへの悪影響を抑制することができる。
【図面の簡単な説明】
【００１５】
【図１】本発明の実施例のコインセレクタを示す正面斜視図である。
【図２】本発明の実施例のコインセレクタの正面図である。
【図３】本発明の実施例のコインセレクタの（ａ）左側面図、（ｂ）右側面図である。
【図４】本発明の実施例のコインセレクタの（ａ）背面カバー部材を付けた状態の背面図、（ｂ）背面カバー部材およびリジェクト装置を取り除いた状態の背面図である。
【図５】本発明の実施例のコインセレクタの平面図である。
【図６】本発明の実施例のコインセレクタの開閉体およびカバー部材を取り除いた状態の正面図である。
【図７】本発明の実施例のコインセレクタのカバー部材を取り除いた状態の正面図である。
【図８】本発明の実施例のコインセレクタの図２のＡ−Ａ線に沿った断面図である。
【図９】本発明の実施例のコインセレクタにおける開閉体を示す背面図である。
【図１０】本発明の実施例のコインセレクタの本体を除いた状態の背面図である。
【図１１】本発明の実施例のコインセレクタにおける羽根車を示す（ａ）は概略斜視図、（ｂ）は概略正面図である。
【図１２】本発明の実施例の羽根車の羽根とコイン通路の関係を説明するための（ａ）は羽根がコイン通路に突出した直後の状態、（ｂ）は羽根がコイン通路から退出する直前の状態を示す要部概略断面図である。
【図１３】本発明の実施例のコインコレクタにおける回転停止装置およびコイン落下装置を示す、（ａ）はコイン受入拒否状態、（ｂ）はコイン受入許可状態の要部概略背面図である。
【図１４】図１１の羽根車の回転停止装置を示す、（ａ）は概略斜視図、（ｂ）は羽根車の回転停止時を示す概略正面図、（ｃ）は羽根車の回転可能時を示す概略表面図である。
【図１５】図１３のＢ−Ｂ線に沿った断面図である。
【図１６】本発明の実施例のコインセレクタにおけるコイン落下装置の姿勢保持機構を示す、（ａ）は非保持状態、（ｂ）は保持状態の要部概略底面図である。
【図１７】本発明の実施例のコインセレクタにおける糸吊り防止装置の（ａ）は静止状態、（ｂ）はコイン通過時の状態、（ｃ）は逆行防止時の状態を示す要部概略断面図である。
【図１８】本発明の実施例のコインセレクタにおける不正防止装置の（ａ）はワンウェイクラッチ、（ｂ）は回転検出装置を示す要部概略斜視図である。
【図１９】本発明の実施例のコインセレクタのコイン受入許可状態における作動を説明するための要部概略断面図である。
【図２０】本発明の実施例のコインセレクタのコイン受入許可状態における作動を説明するための要部概略断面図で、図１９の続きである。
【図２１】本発明の実施例のコインセレクタのコイン受入許可状態からコイン受入拒否状態に移行した場合の作動を説明するための要部概略断面図である。
【図２２】本発明の実施例のコインセクタに不正用器具を挿入した場合の（ａ）は挿入直後の状態、（ｂ）はさらに挿入された状態、（ｃ）は羽根車の羽根に挟まれた状態を示す要部概略断面図である。
【図２３】本発明の実施例のコインセレクタにおける正常時の回転検出装置およびコイン検知装置の出力信号の一例を示す波形図である。
【図２４】本発明の実施例のコインセレクタにおける異常時の回転検出装置およびコイン検知装置の出力信号の他の例を示す波形図である。
【図２５】本発明の実施例のコインセレクタの（ａ）図４のB−B線に沿った断面図、（ｂ）図４のＣ−Ｃ線に沿った断面図である。
【発明を実施するための形態】
【００１６】
以下、本発明の実施の形態を添付図面に基づいて説明する。
【００１７】
（実施例）
本発明の実施例のコインセレクタ１００は、図１〜図１０に示すように、コインセレクタ１００を構成する各種部品が取り付けられたベース１０２と、ベース１０２に対しピボット運動可能に支持された開閉体１０４と、ベース１０２と開閉体１０４の間に形成されたコイン通路１０６と、コインＣがコイン通路１０６を転動する過程でコインＣの真偽を判別し、偽コインと判別されたコインＣをコイン通路１０６から排除するコイン選別部１０８と、コイン通路１０６内のコインＣを強制的に排除するリジェクト装置１１０と、コイン選別部１０８で真正コインとして判別されたコインＣの受け入れを規制するコイン受入規制装置１１２と、コイン受入規制装置１１２により受け入れを規制されたコインＣをコイン通路１０６から落下させるコイン落下装置１１４と、コイン受入規制装置１１２により受け入れを規制されずにコイン通路１０６の下流に移動したコインＣを検知するコイン検知装置１１６と、ベース１０２の前面側に取り付けられたカバー部材１１８と、コインＣをコイン通路１０６内に受け入れるコイン投入口１２２と、コイン通路１０６からコインＣを遊技機に向けて排出するコイン排出口１２４と、コイン通路１０６においてコイン排出口１２４の近傍に配置された糸吊り防止装置１２０と、不正用器具によるコイン検知装置１１６に対する不正を防止する不正防止装置１２６と、を含んで構成されている。
【００１８】
（本体）
ベース１０２は、略矩形の第１ガイド壁１３２、第１ガイド壁１３２の左右両端部に形成されると共に第１ガイド壁１３２の表面および裏面に対し直角な方向にそれぞれ突出する左側壁１３４および右側壁１３６を有している。具体的には、ベース１０２の幅は３．５インチであり、所謂デフェクトスタンダードサイズと呼ばれる寸法である。左側壁１３４および右側壁１３６には外向きに突出する４つの取り付け用の突起１４２が形成されており、これらの突起１４２を遊技機の取り付け溝（図示せず）に掛け止めすることによりコインセレクタ１００を遊技機に取り付けられることができる。
【００１９】
左側壁１３４および右側壁１３６は、水平方向に延在する上端面１３４ａ、１３６ａおよび下端面１３４ｂ、１３６ｂをそれぞれ有し、水平面に対し垂立している（図３（ａ）および（ｂ）参照）。第１ガイド壁１３２の下端は第１ガイド壁１３２の上端に対しベース１０２の裏面側に後退し、第１ガイド壁１３２は前倒しに傾斜している。換言すれば、第１ガイド壁１３２は、上端面１３４ａ、１３６ａおよび下端面１３４ｂ、１３６ｂに直角な垂直面に対し、所定の傾斜角を有している。
【００２０】
ベース１０２の表面側において、第１ガイド壁１３２、左側壁１３４および右側壁１３６により凹溝１３８が形成されている（図６参照）。この凹溝１３８内において、第１ガイド壁１３２の表面がコインＣの一面を案内する第１コイン案内面１４０として機能する。第１ガイド壁１３２には、その上部において前面側に突出する突部１４５が形成されている（図６参照）。突部１４５の下端面１４５ａは、第１ガイド壁１３２の上端から右斜め下方に湾曲し、さらに右斜め下方に直線的に延在して右側壁１３６に達している。突部１４５の突出する高さは、コインＣの厚みより僅かに大きい寸法に設定されている。突部１４５は、その下端面１４５ａと後述するガイドレール２５６との間隔が選別対象のコインＣ（すなわち、真正コイン）の直径より僅かに大きくなるよう形成されている。
【００２１】
左側壁１３４の前端１３４ｃには、第１ガイド壁１３２に対応して傾斜した底面１４３ａを有する略矩形の凹部１４３が形成されている（図３（ａ）参照）。右側壁１３６の下方には、コインＣが排出される縦長矩形のコイン排出口１２４が形成されている。コイン排出口１２４の長手方向は第１ガイド壁１３２に対応して傾斜している。
【００２２】
第１ガイド壁１３２は、その右下方に配置された斜め右下がりの円弧状に形成された上端面１４９ａを有する突部１４９を有している（図６、図７参照）。突部１４９の上端面１４９ａは、ガイドレール１４４として機能する。ガイドレール１４４は、後述の可動ガイドレール４０２に連なるよう配置され、コイン通路１０６を移動するコインＣをコイン排出口１２４に案内する機能を有している。本実施例では、ガイドレール１４４が第１ガイド壁１３２と一体で形成されているが、別体で形成されたガイドレール１４４を第１ガイド壁１３２に取り付けてもよい。
【００２３】
ベース１０２の背面側において、第１ガイド壁１３２は、略円錐台の一部を切り欠いたものを上下対称に接続した外形状を有し、ベース１０２の裏面側に突出するカバー部１４６を有している（図４および図８参照）。カバー部１４６の内部には、後述する羽根車３０２の回転に伴って形成される回転領域（以下、羽根車回転領域という）に対応する空間が形成されている。カバー部１４６は、ベース１０２の裏面側において羽根車３０２を覆い、羽根車３０２を保護する機能を有している。本実施例では、カバー部１４６が第１ガイド壁１３２と一体で形成されている。
【００２４】
ベース１０２には、開閉体１０４を回動自在に支持する一対の支軸１５２、１５４が設けられている。支軸１５２、１５４は、凹溝１３８内において、第１ガイド壁１３２に対し平行で、かつ、ベース１０２の右上部から左下がりで傾斜する軸線Ｌ１上に配置される（図６参照）。
【００２５】
（開閉体）
開閉体１０４は、第１ガイド壁１３２と平行に配置される第２ガイド壁２０２および第３ガイド壁２０３と、第２ガイド壁２０２の周縁部から前面側に突出する開閉体枠２０４とを有している。第３ガイド壁２０３は、図９に示すように、平面視略三角形の板状に形成され、第２ガイド壁２０２から分離して配置されている。第２ガイド壁２０２および第３ガイド壁２０３の第１ガイド壁１３２に相対する面は、コインＣの一面を案内する第２コイン案内面２０６として機能する。第２ガイド壁２０２の中央には、コイン通路１０６に沿った弧状のコイン落下開口２０８が形成されている。コイン落下開口２０８は、コイン通路１０６を転動するコインＣが小径の偽コインである場合にそのコインＣを落下させるためのものである。
【００２６】
図９に示すように、第２ガイド壁２０２の裏面（すなわち、第１ガイド壁１３２と相対する面）においてコイン落下開口２０８の下方には、斜め右下がり（図９では斜め左下がり）の弧状の上端面２５３を有する板状の第１ガイド部材２５２が取り付けられている。第１ガイド部材２５２は、コインＣの厚みより僅かに大きい厚みを有している。第１ガイド部材２５２の上端面２５３は、コイン投入口１２２から投入されたコインＣの外周面を図１において右下方へ案内するガイドレール２５６として機能する。
【００２７】
開閉体枠２０４は、上側枠部２１２、左側枠部２１３、下側枠部２１４および右側枠部２１５により構成されている。開閉体１０４は、右側枠部２１５の上部において右側方に延在する上側揺動レバー２１６と、右側枠部２１５の下部において右側方に延在してから下方に折れ曲がった下側揺動レバー２１８を有している（図１および図７参照）。上側揺動レバー２１６および下側揺動レバー２１８のそれぞれ先端部には軸挿入孔２２０、２２２が形成されており、ベース１０２の支軸１５２、１５４が軸挿入孔２２０、２２２に挿入されることにより開閉体１０４がベース１０２に対して軸線Ｌ１（図２参照）を中心にピボット運動可能に支持される。そのため、開閉体１０４は、第１ガイド壁１３２と第２ガイド壁２０２および第３ガイド壁２０３とが相対する閉止位置と、第２ガイド壁２０２および第３ガイド壁２０３が第１ガイド壁１３２に対して離れる開放位置とに変位できる。
【００２８】
上側揺動レバー２１６の上部には上方に突出する円柱状の掛止突起２２４が形成され、ベース１０２の右上部には上方に突出する円柱状の掛止突起１５６が形成されている。掛止突起２２４および掛止突起１５６にはバネ（図示せず）の端部が掛け止めされている。これにより、開閉体１０４には支軸１５２、１５４を中心軸とするモーメントが生じ、開閉体１０４が第１ガイド壁１３２に向かう付勢力を受ける。換言すれば、開閉体１０４には、第１ガイド壁１３２に近づくように弾性的な回動力が常時作用する。
【００２９】
バネ（図示せず）により付勢された開閉体１０４は、その裏面に取り付けられた後述の第２ガイド部材２６０とベース１０２の突部１４５とが当接することにより閉止位置で停止される。この状態において、第１コイン案内面１４０および第２コイン案内面２０６の間にコインＣの厚みより僅かに大きい空間が形成される。
【００３０】
左側枠部２１３には、左外方に突出する突部２１９が形成されている。左側壁１３４の凹部１４３は突部２１９に対応して配置されており、開閉体１０４の回動時に突部２１９は凹部１４３内に進入可能である。これにより、突部２１９の左側壁１３４への接触が防止される。換言すれば、凹部１４３が突部２１９の逃げ溝として機能する。この突部２１９に第１ガイド部材２５２の左端部（図９では右端部）を延在させることにより、ガイドレール２５６がベース１０２の左側壁１３４に近接して配置され、コイン投入口１２２から投入されたコインＣがガイドレール２５６上を円滑に移動することができる。
【００３１】
上側揺動レバー２１６および下側揺動レバー２１８の間には、ベース１０２のカバー部１４６と同様に、略円錐台の一部を切り欠いたものを上下対称に接続した外形状を有するカバー部２３０が形成されている。カバー部２３０の内部には、羽根車回転領域に対応する空間が形成されている。カバー部２３０には、円錐台部を補強するためのリブ２３１、２３２、２３３が形成されている。コイン投入口１２２側のリブ２３１には、図３（ａ）に示すように、第２ガイド壁２０２の表面に直角な直線Ｌ２に対して対称な一対の切り欠き２３４、２３６が形成されている。これにより、リブ２３１は、上部分２３８、中間部分２４０、下部分２４２を有する略Ｅ字形に形成される。第３ガイド壁２０３は、リブ２３１の中間部分２４０の先端に支持されている（図２参照）。カバー部２３０の右側端部２４４のリブ２３３（図７参照）にもリブ２３１と同様の切り欠き（図示せず）が形成されている。リブ２３１の下部分２４２には、コイン通路１０６の上流側に向けて下るように傾斜した斜面２４２ａが形成されている。偽コインとしてコイン通路１０６から落下したコインＣは、斜面２４２ａによって羽根車３０２側に落下することが抑制される。
【００３２】
開閉体１０４の表面には、後述のコイン落下開口２０８の下端から下側枠部２１４に延びる複数の案内突条２８６が形成されている（図１参照）。案内突条２８６は、開閉体１０４の表面から斜め下方に向かうにつれて高くなり、下側枠部２１４に形成された弧状端面２８８の高さと同じになるよう傾斜している。これにより、コイン落下開口２０８から落下したコインＣは、案内突条２８６を滑落して弧状端面２８８からベース１０２の斜め前方へ向かう傾斜姿勢で下方に落下する。
【００３３】
（コイン通路）
コイン通路１０６は、第１ガイド壁１３２の第１コイン案内面１４０と、第２ガイド壁２０２の第２コイン案内面２０６および後述のカバー部材１１８の第４コイン案内面４９４と、ガイドレール２５６、１４４およびガイドレール２５６、１４４の間に配置された可動ガイドレール４０２（後述）と、ベース１０２の突部１４５の下端面１４５ａにより画定され、コイン投入口１２２からコイン排出口１２４へ向けてコインＣを転動させる機能を有する。コイン通路１０６は、コイン投入口１２２から略垂直に下降してから右方向へ湾曲する第１コイン通路部１６２（図１および図６参照）と、第１コイン通路部１６２に連なり、かつ、下向きの軸線Ｌ３に沿って延在する第２コイン通路部１６４（図６参照）と、第２コイン通路部１６４に連なり、かつ、右方向へ湾曲しながら斜め右下がりに延在する第３コイン通路部１６６（図６参照）と、を有している。第３コイン通路部１６６は、ベース１０２の正面側から見て、後述の羽根車３０２の回転軸線ＲＬに対し僅かに右方向にシフトした位置から第２コイン通路部１６４の軸線Ｌ３よりも下方に向かって延在し、コイン排出口１２４に通じている。そのため、軸線Ｌ３に沿って第２コイン通路部１６４を転動するコインＣは、その中心が回転軸線ＲＬの近傍を通過した直後に第３コイン通路部１６６に導入され、軸線Ｌ３に対し右斜め下方に移動方向が変更された後、コイン排出口１２４から排出される。
【００３４】
コイン通路１０６において、第１ガイド壁１３２の第１コイン案内面１４０には、ガイドレール２５６に沿って複数の突条１４７が形成されている（図６参照）。これらの突条１４７は、コイン投入口１２２から垂直に下降してから湾曲した後、右斜め下方に向けて延在している。突条１４７は、コイン通路１０６を転動するコインＣの移動抵抗を低減する機能を有している。
【００３５】
（コイン投入検知部）
コイン投入口１２２にはコインＣの投入を検知するコイン投入検知部７００が設けられている。コイン検知部７００はコインＣの投入を検知する機能を有している。コイン投入検知部７００は、第１ガイド壁１３２に平行に延在する支軸７１０と、支軸７１０を回動軸として回動可能なフラップ７０２と、フラップ７０２の回動に連動して第１ガイド壁１３２の裏面側で回動する検知レバー７１２と、検知レバー７１２の回動を検知してコインＣが投入されたことを検知するセンサ７１４と、を含んで構成されている。フラップ７０２は、略矩形状の平板部７０８と、平板部７０８の一対の長辺の一方に設けられ、支軸７１０が挿入される軸受７０６と、一対の短辺の一方から、平板部７０８に対して所定の角度を有して、フラップ７０２の裏面側に向かって延在し、平板部７０８と反対側の端部が他方の短辺側に略直角に屈曲した略Ｌ字形状の検知レバー７１２と、を含んで構成されている。軸受７０６は平板部７０８の一対の長辺より小さく形成されている。すなわち、平板部７０６の一対の長辺のうち軸受７０６が形成された側の長辺は、軸受７０６が形成されている部分と、形成されていない部分とが存在している。支軸７１０は、さらに、ねじりバネなどのバネ（図示せず）が配置されている。フラップ７０２は第１ガイド壁１３２の前方、換言すれば開閉体１０４に向けてバネ（図示せず）によって付勢されている。さらに換言すれば、フラップ７０２は、平板部７０８によってコイン投入口１２２が閉塞されるように、常時付勢されている。
【００３６】
コイン投入口１２２直下の第１ガイド壁１３２には、フラップ７０２の平板部７０２より僅かに大きい凹部７１６が形成されている。第１ガイド壁１３２の上部かつ左側壁１３４側の端部には、略Ｌ字型の貫通部７１８が形成されている。フラップ７０２は、凹部７１６の上端に配置された支軸７１０を介して、凹部７１６に配置されている。フラップ７０２は、平板部７０８の下端側、換言すれば一対の長辺の内軸受７０６が形成されていない側の長辺が第２コイン案内面２０６に向けてコイン通路１０６に進入し、コイン通路１０６を閉塞する待機位置Ｐ３に常時位置するようにバネ（図示せず）によって付勢されている。フラップ７０２は、コイン投入口１２２からコインＣが投入された場合、コインＣよって平板部７０８の前面が押され、バネ（図示せず）の付勢力に対抗して第１ガイド壁１３２に向けて回動して、コインＣの通過を許容する許容位置Ｐ４に退避する。フラップ７０２は、フラップ７０２が許容位置Ｐ４に位置する場合、平板部７０８の前面がコイン通路１０６の第１コイン案内面１４０と略面一な状態となるように構成されている。コインＣが平板部７０８を通過して第１コイン通路部１６２に到達すると、フラップ７０２を許容位置Ｐ４に維持する力が平板部７０８に働かなくなり、バネ（図示せず）の付勢力によって、フラップ７０２は許容位置Ｐ４から待機位置Ｐ３に移動する。
【００３７】
検知レバー７１２は、第１ガイド壁１３２の前面側から略Ｌ字型の貫通部７１８に挿入され、その先端部が第１ガイド壁１３２の裏面側に位置するように配置されている。第１ガイド壁１３２の裏面側において、検知レバー７１２の先端部に対応する位置に、センサ７１４が配置されている。本発明の実施例のセンサ７１４は、透過型フォトセンサで構成され、投光器から照射された光を受光器で受光し、当該投光器と当該受光器との間に進入および退出する検知レバー７１２の先端部による前記受光器での受光量の増減を検出することで、フラップ７０２が待機位置Ｐ３および許容位置Ｐ４のいずれかに位置するか、換言するとコインＣのコイン投入口１２２への投入およびコインＣの平板部７０８の通過が検知される。なお、本発明の実施例において、センサ７１４は投光型フォトセンサを用いられているが、これに限定されず、反射型フォトセンサを用いても構わない。また、フォトセンサを用いずにマイクロスイッチを用いても構わない。例えば、フラップ７０２の平板部７０８の裏面もしくは平板部７０８の裏面と相対する凹部７１６の面にマイクロスイッチを設置し、フラップ７０２が許容位置Ｐ４に位置する場合にマイクロスイッチを動作させるように構成しても構わない。さらに、第１ガイド壁１３２の裏面側にマイクロスイッチを設置し、フラップ７０２は待機位置Ｐ３に位置する場合に、検知レバー７１２によってマイクロスイッチを動作させるように構成しても構わない。また、本発明の実施例の検知レバー７１２は、略Ｌ字型の板状部材によって構成されているが、これに限定されず、平板状、クランク状、コの字状およびくの字状など、センサ７１４の配置位置および種類に応じで変更しても構わない。また、貫通部７１８の形状も、用いられる検知レバー７１２の形状に応じて変更できる。
【００３８】
（コイン選別部）
コイン選別部１０８は、第１コイン通路部１６２において直径によりコインＣの真偽を判別し、小径の偽コインをコイン通路１０６から排除する機能を有する。コイン選別部１０８は、第２ガイド壁２０２の裏面に取り付けられた板状の第２ガイド部材２６０と、第１コイン通路部１６２を転動するコインＣをコイン落下開口２０８へ向けて逸らす逸らせ装置２６２とにより構成される。
【００３９】
まず、図９を参照しながら第２ガイド部材２６０について説明する。第２ガイド部材２６０は、コイン落下開口２０８の上方に配置され、斜め右下がり（図９では斜め左下がり）の下端面２６４と、第２コイン案内面２０６と同一の平面内に位置する第３コイン案内面２６６と、を有している。第２ガイド部材２６０は、その下端面２６４が第１ガイド壁１３２の突部１４５の下端面１４５ａに対し下方に位置するよう配置される。第３コイン案内面２６６は、開閉体１０４が閉止位置に位置する状態で第１コイン案内面１４０に対しコインＣの厚みより僅かに大きい間隔を置いて配置される。下端面２６４は、ガイドレール２５６（換言すれば、第１ガイド部材２５２の上端面２５３）に対し平行となるよう相似に湾曲した湾曲面２６４ａと、後述の可動ガイドレール４０２に対し平行な平面２６４ｂと、を有している。下端面２６４とガイドレール２５６との間隔は、選別対象のコインＣ（すなわち、真正コイン）の直径に対応した寸法に設定され、例えば、真正コインの直径よりも僅かに小さい値に設定される。
【００４０】
次に、主に図４を参照しながら逸らせ装置２６２について説明する。逸らせ装置２６２は、逸らせ体２６８および付勢手段（図示せず）を含んでいる。逸らせ体２６８は、ベース１０２の背面の上端部に配置された支軸２７２に回動自在に支持され、第１ガイド壁１３２に形成された弧状開口１７２を通ってコイン通路１０６（換言すれば、第１コイン通路部１６２）に進退可能に取り付けられている。逸らせ体２６８は、板状であって、第１コイン通路部１６２に合わせて湾曲している。逸らせ体２６８は、支軸２７２に配置されたバネおよび錘などの付勢手段（図示せず）によって第１ガイド壁１３２に向けて付勢されている。換言すれば、付勢手段（図示せず）によって、逸らせ体２６８が弧状開口１７２からコイン通路１０６に常態で突出するように付勢されている。
【００４１】
逸らせ体２６８は、コイン通路１０６を転動するコインＣの上端側面を第２ガイド壁２０２側に押すことができるように、コイン通路１０６内において第２ガイド部材２６０に近接して配置されている。また、逸らせ体２６８の先端は、コイン通路１０６の上流から下流に向けて連続的にコイン通路１０６に突出するように、第１コイン案内面１４０に対し傾斜しているので、逸らせ体２６８がコイン通路１０６内に位置する場合、コイン投入口１２２から投入されたコインＣは逸らせ体２６８によりコイン通路１０６から第２ガイド壁２０２側に押し出される力を受ける。コイン通路１０６に導入されたコインＣが真正コインである場合、ガイドレール２５６に沿って転動するコインＣは、その上端部側面を第２ガイド部材２６０の第３コイン案内面２６６によって案内されるので、逸らせ体２６８に押されてもそのままコイン通路１０６を移動する。他方、コインＣが小径の偽コインである場合、その上端部側面は第２ガイド部材２６０の第３コイン案内面２６６に案内されないので、逸らせ体２６８に押されると第２ガイド壁２０２側に倒されてコイン落下開口２０８から落下する。
【００４２】
（リジェクト装置）
リジェクト装置１１０は、コイン通路１０６においてジャムしたコインＣをコイン通路１０６から排除する機能を有する。リジェクト装置１１０は、ベース１０２の背面において第１ガイド壁１３２の左上方（図４では右上方）に配置され、かつ、ピボット軸である支軸２７２が軸挿入孔（図示せず）に挿入されることにより回動自在に取り付けられた被動レバー２８０と、被動レバー２８０の左下方（図４では右下方）においてベース１０２の前面側に延在し、第１ガイド壁１３２の左端に形成された矩形状の開口１７４を通って第２ガイド壁２０２の裏面に先端が達する押動レバー２８２とからなる。
【００４３】
上述した通り、開閉体１０４には第１ガイド壁１３２に近づくように弾性的な回動力が常時作用ため、押動レバー２８２の先端が第２ガイド壁２０２（換言すれば、第１ガイド部材２５２）に押されて図３（ａ）において時計方向へ回動される。換言すれば、押動レバー２８２には、バネ（図示せず）の付勢力が開閉体１０４を介して作用し、押動レバー２８２の先端が第２ガイド壁２０２の裏面に係止された状態が保持される。コインＣがコイン通路１０６においてジャムして転動しなくなった場合、遊技機の返却レバー（図示せず）が操作される。その場合、被動レバー２８０の傾斜面２８０ａが押し下げられ、図３（ａ）において被動レバー２８０が反時計方向へ回動される。これにより、押動レバー２８２が第２ガイド壁２０２を押動し、開閉体１０４が回動されてリジェクト位置に移動する。この状態では、第１ガイド部材２５２が第１ガイド壁１３２からコインＣの厚み以上離れ、コイン通路１０６において転動できなくなったコインＣはガイドレール２５６から落下する。そして、落下したコインＣは、凹溝１３８内のリジェクト通路１８２（図７参照）を介して所定の返却口（図示せず）へ返却される。
【００４４】
（コイン受入規制装置）
コイン受入規制装置１１２は、遊技機がコイン受入拒否状態にある場合にコイン通路１０６においてコインＣの移動を規制する機能を有する。換言すれば、コイン通路１０６において転動するコインＣを停止させる機能を有する。コイン受入規制装置１１２は、コイン通路１０６の側方においてコイン通路１０６（換言すれば、第２コイン通路部１６４）の軸線Ｌ３に対し直交する回転軸線ＲＬの回りを回転可能な羽根車３０２と、羽根車３０２の回転を停止する第１の回転停止装置３０４と、第２の回転停止装置６００と、を含んでいる。
【００４５】
まず、図６、図８、図１１および図１２を参照しながら、羽根車３０２について説明する。羽根車３０２の回転軸線ＲＬは、第１コイン案内面１４０に対しベース１０２の前面側に所定間隔Ｄ１を置いて配置されている（図８参照）。羽根車３０２は、回転軸線ＲＬに沿って延在する円柱状の外周面を有する羽根支持体３０６と、その外周面に形成された３枚の羽根３２１、３２２、３２３と、を含んでいる（図１１参照）。羽根支持体３０６の中心部には、回転軸線ＲＬに沿って軸孔３１０が形成され、羽根支持体３０６の断面形状は円環状である。軸孔３１０には回転軸線ＲＬに沿って延在する支軸３１２が挿入され、羽根支持体３０６は支軸３１２に対し回動可能に支持されている。図６に示すように、支軸３１２の上端部および下端部は、ベース１０２において第１ガイド壁１３２から正面側に突出する軸支持部１９２、１９４に形成された軸孔（図示せず）に嵌合されて固定される。
【００４６】
図８および図１１に示すように、羽根３２１、３２２、３２３は、羽根支持体３０６の外周面３０８において、その周方向を３分割するよう配置されている。換言すれば、外周面３０８上において、羽根３２１、３２２、３２３が等角度（すなわち、１２０度）の間隔で配置される。羽根３２１、３２２、３２３は、回転軸線ＲＬに沿う方向の視線において弧状に湾曲している。そして、コイン通路１０６に突出した直後において羽根３２１、３２２、３２３の突出する部位は第２コイン通路部１６４の軸線Ｌ３に対して鋭角をなし、羽根３２１、３２２、３２３がコイン通路１０６から退出する直前において羽根３２１、３２２、３２３のコイン通路１０６に突出する部位は第２コイン通路部１６４の軸線に対して略平行をなすよう形成される。すなわち、図１２（ａ）に示すように、羽根３２１がコイン通路１０６に突出した直後において、羽根３２１のコイン通路１０６に突出する部位の接線ＴＬ１と軸線Ｌ３とが鋭角θをなす。また、図１２（ｂ）に示すように、羽根３２１のコイン通路１０６から退出する直前の部位の接線ＴＬ２と軸線Ｌ３とが略平行となる。羽根３２２、３２３についても羽根３２１と同様である。
【００４７】
図１１に示すように、羽根３２１、３２２、３２３は、先端から回転軸線ＲＬ側に向かって先すぼまり状のＶ字形切り欠き３２６が形成されている。切り欠き３２６はコインＣの中心を通り、かつ、第２コイン通路部１６４の軸線Ｌ３に平行な直径線ＣＬの両側のコインＣの周面に相対するよう形成されている（図１１（ｂ）参照）。これにより、羽根３２１、３２２、３２３には、コインＣの上端部および下端部に対応する位置に、先細りの先端部３２１ａ、３２１ｂ、３２２ａ、３２２ｂ、３２３ａ、３２３ｂがそれぞれ形成される。
【００４８】
上記構成において、羽根３２１、３２２、３２３を湾曲させることにより、角度θが大きくなり（換言すれば、より直角に近い角度となり）、コイン通路１０６において先行するコインＣと後続のコインＣとの間に羽根３２１、３２２、３２３が進入しやすくなる。しかも、直径線ＣＬの上方および下方において先行するコインＣと後続のコインＣとの間には隙間ＳＰが形成されるので、その隙間ＳＰに羽根３２１、３２２、３２３の先端部３２１ａ、３２１ｂ、３２２ａ、３２２ｂ、３２３ａ、３２３ｂが入り込むことができる。したがって、先行するコインＣおよび後続のコインＣが接触した状態であっても、羽根３２１、３２２、３２３を介してコインＣを１枚ずつ分離することができる。
【００４９】
また、羽根３２１、３２２、３２３がコイン通路１０６に突出した直後に突出した部位にコインＣが接触（または、衝突）すると、突出した部位の接線ＴＬ１に垂直な分力ＶＦが羽根３２１、３２２、３２３に作用する（図１２（ａ）参照）。これにより、羽根車３０２には図１２（ａ）において時計方向の回転力が作用し、羽根車３０２を確実に回転させることができる。換言すれば、羽根３２１、３２２、３２３はコインＣによって押動され、コインＣがコイン通路１０６の下流へ移動することにより、羽根車３０２が図１２（ａ）の時計方向ＦＲに回転する。他方、接線ＴＬ１に平行な分力ＨＦは、羽根３２１、３２２、３２３の延在方向に向かうため、羽根３２１、３２２、３２３の剛性によってコインＣに抗力が作用する。しかしながら、コイン通路１０６に突出する羽根３２１、３２２、３２３にコインＣが接触（または、衝突）した直後に羽根車３０２が回転を開始し、羽根車３０２の回転に伴って羽根３２１、３２２、３２３のコイン通路１０６に突出する部位と軸線Ｌ３とのなす角度が大きくなるので、コインＣに対する抗力は次第に減少する。そして、図１２（ｂ）に示すように、羽根３２１、３２２、３２３がコイン通路１０６から退出する直前において羽根３２１、３２２、３２３のコイン通路１０６に突出する部位が軸線Ｌ３に対して略平行になるので、この時点で羽根３２１、３２２、３２３がコインＣに及ぼす抗力はなくなる。したがって、羽根車３０２がコインＣの移動速度に及ぼす影響を小さくすることができる。
【００５０】
さらに、羽根３２１、３２２、３２３の先端部３２１ａ、３２１ｂ、３２２ａ、３２２ｂ、３２３ａ、３２３ｂは、一方の先端部３２１ｂ、３２２ｂ、３２３ｂが他方の先端部３２１ａ、３２２ａ、３２３ａよりも長さＤ２だけ短くなるように形成されている。羽根車３０２のコインＣを放出する側である第３コイン通路部１６６は略Ｓ字状に形成されている。先端部３２１ａ、３２２ａ、３２３ａは第３コイン通路部１６６の壁部周囲で第３コイン通路部１６６から離脱するように、先端部３２１ｂ、３２２ｂ、３２３ｂは第３コイン通路部１６６の案内面上で離脱するように羽根車３０２が配置されている。そのため、羽根車３０２から放出されたコインＣがコインＣの直後に位置する先端部３２１ｂまたは３２２ｂまたは３２３ｂで挟み込まれるやすくなる。例えば、コインＣが羽根車３０２から離脱する時に後続のコインがコインＣよりも速い速度で羽根車３０２に到達した場合、後続のコインＣによって押動されて羽根車３０２の回転速度が上がり、コインＣが完全に羽根車３０２から離脱する前に、羽根３２１、３２２、３２３がコインＣに追いつき、先端部３２１ｂ、３２２ｂ、３２３ｂと第４ガイド壁４８５とでコインＣを挟み込みやすくなる。したがって、先端部３２１ｂ、３２２ｂ、３２３ｂが短く形成されることで、先端部３２１ａ、３２２ａ、３２３ａに比較して、先端部３２１ｂ、３２２ｂ、３２３ｂが第３コイン通路部１６６から離脱するのが早くなる。すなわち、コインＣが羽根車３０２から離脱するタイミングが早くなる。さらに、先端部３２１ｂ、３２２ｂ、３２３ｂと第４ガイド壁４８５とが交わる点が先端部３２１ａ、３２２ａ、３２３ａと第４ガイド壁４８５とが交わる点よりも羽根支持体３０６に近づくため、先端部３２１ｂ、３２２ｂ、３２３ｂと第４ガイド壁４８５とでコインＣを挟み込む現象が生じることが軽減される。
【００５１】
羽根３２１、３２２、３２３の曲率、Ｖ字形の切り欠き３２６の角度α（図１１（ａ）参照）、および第１コイン案内面１４０と回転軸線ＲＬとの間隔Ｄ１（図８参照）は、選別対象のコインＣ（換言すれば、真正コイン）の直径および厚みに対応して最適化される。これは、図２０（ａ）に示すように、コイン通路１０６において前後する羽根３２１および羽根３２２の間に１枚のコインＣが挟まれた状態を生起させる必要があるからである。これにより、先行するコインＣおよび後続のコインＣが接触状態であっても、羽根３２２を介して、先行するコインＣおよび後続のコインＣをより確実に分離でき、しかも噛み込みの発生を防止できる。
【００５２】
さらに、羽根３２１、３２２、３２３は、羽根３２１、３２２、３２３の上部において、羽根支持体３０６の外周面３０８から羽根の先端部３２１ａ、３２２ａ、３２３ａに向けて略台形状の切り欠き３２７が形成されている。切り欠き３２７は第２の回転停止装置６００に相対する位置で、かつ、第２の回転停止装置６００が接触しないサイズで形成されている。
【００５３】
なお、本実施例では、羽根車３０２が３枚の羽根３２１、３２２、３２３を有しているが、羽根の枚数は少なくとも３枚であればよく、必要に応じて適宜変更可能である。
【００５４】
直径線ＣＬより下方側でコインＣと相対する羽根支持体３０６の一部の直径が前後する２枚の羽根の間に挟まれた前記コイン（ｃ）の姿勢を保持するように設定され、直径線ＣＬより上方側の羽根支持体３０６の直径が前記下方側の羽根支持体３０６の前記直径よりも小さくなるように設定されている。換言すると羽根支持体３０６は、直径線ＣＬより下方側でコインＣと相対する部分の羽根支持体３０６の直径が大きな大径部３１６と、直径線ＣＬより上方側の羽根支持体３０６の直径が大径部３１６より小さな小径部３１８と、を有している。羽根支持体３０６は大径部３１６の一端と小径部３１８の一端とが回転軸線ＲＬの延在方向に連続的に接続されている。このように、羽根支持体３０６に小径部３１８と大径部３１６を設けられたことで、羽根車３０２の慣性質量が大きくなるのを抑制することができ、羽根車３０２を回転しやすくすることができる。
【００５５】
羽根支持体３０６の大径部３１６の直径は第１ガイド壁１３２と大径部３１６との間の隙間がコインＣの厚みとほぼ同じもしくはコインＣの厚みより僅かに大きくなるように設定される。大径部３１６は羽根車３０２の回転位置にかかわらず突出しており、第２コイン通路部１６４において必要以上の隙間が形成されないように構成されている。このように、羽根支持体３０６の大径部３１６の直径が設定されることによって、コイン落下装置１１４で排除されたコインＣが羽根車３０２の根本部に嵌まり込む現象が阻害されるため、羽根車３０２の根本部に嵌まり込んだコインＣが排除不可能なることが軽減される。
【００５６】
コインＣの直径線ＣＬの上方側でコインＣと相対する小径部３１８の一部に外周面から外方に突出する円盤状の突起板３１４が形成されている。円盤状の突起板３１４の直径は羽根支持体３０６の大径部３１６の直径と略同じに設定されている。このように、円盤状の突起板３１４が設けられたことにより、コイン通路１０６と、前後する羽根３２１と、羽根３２２とによって形成される前記空間において、前記空間を転動するコインＣの直径線ＣＬの上方側が支持される。すなわちコインＣは、直径線ＣＬの下方側が羽根支持体３０６の大径部３１６で、上方側が円盤状の突起板３１４で支持されているため、コインＣが転動する姿勢の安定性が高められる。
【００５７】
また、直径が異なるコインを同時に使用する、すなわち直径が大きいコインと小さいコインを同時に使用する場合において、羽根支持体３０６の小径部３１８と、大径部３１６と、円盤状の突起板３１４とが直径が大きいコインに合わせて設定されることで、直系が大きいコインは大径部３１６と円盤状の突起板３１４とで支持され、直径が小さいコインはコインの略全体を大径部３１６で支持される。さらに、第１ガイド壁１３２と大径部３１６との間の隙間がコインＣの厚みとほぼ同じもしくはコインＣの厚みより僅かに大きくなるように設定されているため、直径が小さいコインが排除された時、直径が小さいコインが横倒し状態で羽根車３０２の根本部に嵌まり込むことが阻害され、コインの排除不可能になることが軽減される。
【００５８】
本実施の形態の羽根支持体３０６は、直径が大きい大径部３１６と、大径部３１６より直径が小さい小径部３１８とが回転軸線ＲＬ方向に接続され、小径部３１８の一部に円盤状の突起板３１４が設けられた構造を有しているが、この構造に限定されない。例えば、羽根支持体３０６全体の直径が大径部３１６と同じ直径に設定しても構わない。例えば、小径部３１８と略同じ直径で基部を構成し、前記基部の周囲に大径部３１６や、円盤状の突起板３１４に相当する部材を必要に応じて構成しても構わない。また、大径部３１６を複数個の円盤状の突起板３１４で構成しても構わない。さらに、慣性質量軽減のために、羽根支持体３０６の強度が許す範囲で肉抜きなどの軽量化を行っても構わない。
【００５９】
次に、図８、図１０および図１３を参照しながら、第１の回転停止装置３０４について説明する。第１の回転停止装置３０４は、コインＣによる羽根車３０２の回転を停止する機能を有する。図１０および図１３に示すように、第１の回転停止装置３０４は、羽根車３０２の羽根３２１、３２２、３２３の回転経路に出没可能なストッパ３３２である。ストッパ３３２は、支軸３３４に対し回動自在な揺動レバー３３６と、揺動レバー３３６の先端に設けられた係止体３３８とを有している。揺動レバー３３６の基端は、支軸３３４に回動自在に支持された円筒状の回動部３４２の外周面に接続されている。回動部３４２の底部偏心位置には略円柱状の被動部３４４が形成されている。係止体３３８は、ほぼ三角柱の外形状を有し、図８に示すように、揺動レバー３３６の起立姿勢の状態においてコイン通路１０６の上流側に対して垂立する係止面３４６を有している。揺動レバー３３６、係止体３３８、回動部３４２および被動部３４４は一体で形成され、それらの全体が支軸３３４の回りを回動可能である。なお、必要に応じて、揺動レバー３３６、係止体３３８、回動部３４２および被動部３４４の一部または全部を個別に作製して組み立てることも可能である。しかし、寸法精度およびコストの観点から一体で形成されることが好ましい。
【００６０】
図８および図１０に示すように、ストッパ３３２は、ベース１０２の背面側において羽根車３０２の羽根３２１、３２２、３２３の回転経路の下方に配置されている。ストッパ３３２の係止体３３８は、ベース１０２のカバー部１４６の底部１４６ａに形成された開口１４８から出没可能である。すなわち、図１３（ａ）に示すように、揺動レバー３３６が起立姿勢となることにより係止体３３８が開口１４８を介してカバー部１４６内に突出する突出位置Ｐ２と、図１３（ｂ）に示すように、揺動レバー３３６が時計方向に回転して揺動レバー３３６が起立姿勢から傾斜姿勢となることにより係止体３３８がカバー部１４６内から退出する退出位置Ｐ１と、に変位可能である。係止体３３８が突出位置Ｐ２に位置する場合、カバー部１４６内において時計方向に回転する羽根車３０２の羽根３２１、３２２、３２３が係止体３３８の係止面３４６と接触または衝突する。これにより、羽根車３０２の回転が停止される。他方、係止体３３８が退出位置Ｐ１に位置する場合、羽根車３０２の回転が継続される。換言すれば、係止体３３８が羽根車３０２の羽根３２１、３２２、３２３の回転経路に突出することにより羽根車３０２の回転が停止され、係止体３３８が羽根車３０２の羽根３２１、３２２、３２３の回転経路から退出することにより羽根車３０２が回転可能となる。
【００６１】
被動部３４４は、第１ガイド壁１３２の裏面に対し平行にスライドするスライド部材３５２の係止溝３５３に係止されている（図１３参照）。スライド部材３５２は、カバー部１４６の底部１４６ａに平行な方向に延び、一端（図１０では右端）が第１ガイド壁１３２側に折れ曲がってＬ字形に形成された本体部分３５４と、本体部分３５４の下側面に対し直角な方向に延びる被動部分３５６と、被動部分３５６の左側面および右側面のそれぞれに対し直角な方向に延びる被案内部分３５８とを有している（図１０、図１３参照）。本体部分３５４は、その他端側（図１３では左端側）において下方に突出し、その突出部分に係止溝３５３が形成されている。被案内部分３５８は、第１ガイド壁１３２の裏面から突出して設けられた案内部１７６に案内される。案内部１７６は、第１ガイド壁１３２に対し平行な案内面１７６ａと、第１ガイド壁１３２の裏面に対し直角であってカバー部１４６の底部１４６ａに平行な方向に延在する突部１７６ｂと、を有している。被案内部分３５８の底面（図示せず）が案内面１７６ａと接触し、かつ、被案内部分３５８の下側面３５８ｂが突部１７６ｂと接触するように、案内部１７６が配置される。スライド部材３５２の被動部分３５６において、第１ガイド壁１３２の裏面と相対する底面（図示せず）に案内部１７６の突部１７６ｂが挿入される凹溝３５６ａが形成されている。
【００６２】
第１ガイド壁１３２の裏面において案内部１７６の下方には、スライド部材３５２をスライド移動させる駆動装置３６０が取り付けられている。本実施例において、駆動装置３６０はアーマチャ３６２を有するソレノイド３６４である。アーマチャ３６２は、スライド部材３５２の被動部分３５６に形成された段差付きの貫通孔３５６ｂに挿入され、アーマチャ３６２の先端部３６２ａが貫通孔３５６ｂの段差に掛け止めされている。アーマチャ３６２は、スライド部材３５２の被動部分３５６およびソレノイド３６４の間に配置されたバネ（図示せず）により、アーマチャ３６２が突出する方向に、換言すれば、スライド部材３５２の被動部分３５６がソレノイド３６４から遠ざかる方向に付勢されている。バネ（図示せず）の付勢力は、スライド部材３５２の被動部分３５６、本体部分３５４、ストッパ３３２の被動部３４４および回動部３４２を介して揺動レバー３３６に伝達され、揺動レバー３３６を図１３の反時計方向に回転させる。換言すれば、ストッパ３３２には、係止体３３８を羽根車３０２の羽根３２１、３２２、３２３の回転経路に突出させる弾性的な回動力が常時作用する。この回動力により突出したストッパ３３２は、係止体３３８が開口１４８の右側端（図１３（ａ）では左側端）に係止されることにより、突出位置Ｐ２において停止される。
【００６３】
上記構成において、遊技機が受入許可状態の時、ソレノイド３６４が励磁され、アーマチャ３６２はバネ（図示せず）の付勢力に抗してソレノイド３６４側に移動する。そのため、揺動レバー３３９が図１３（ｂ）の傾斜姿勢となる時計方向に回動され、ストッパ３３２の係止体３３８は退出位置Ｐ１の位置に保持される。この状態で遊技機が受入許可状態から受入拒否状態に移行した時、ソレノイド３６４が励磁状態から消磁状態に変化する。これにより、バネ（図示せず）の付勢力によって揺動レバー３３９が図１３（ｂ）の反時計方向に回動されて起立姿勢となり、ストッパ３３２の係止体３３８は図１３（ｂ）の退出位置Ｐ１から図１３（ａ）の突出位置Ｐ２に変位する。
【００６４】
係止体３３８が退出位置Ｐ１から突出位置Ｐ２に変位する過程で、コインＣの移動により押動されて回転する羽根３２１、３２２、３２３のいずれか１枚が係止体３３８に接触（または、衝突）すると、係止体３３８には羽根３２１、３２２、３２３の進行方向に向かう力が作用する。係止体３３８は回動可能に支持された揺動レバー３３６の先端に設けられているので、羽根３２１、３２２、３２３の進行方向と係止体３３８が突出する際の揺動レバー３３６の回転方向とが同じ向きになる。そのため、係止体３３８と回転する羽根３２１、３２２、３２３とが接触（または、衝突）することにより、係止体３３８を突出させる方向に揺動レバー３３６が回転する。換言すれば、係止体３３８と回転する羽根３２１、３２２、３２３との接触（または、衝突）により、係止体３３８の羽根３２１、３２２、３２３の回転経路への突出が促進される。したがって、係止体３３８が退出位置Ｐ１から突出位置Ｐ２へ変位する時間が短縮され、ストッパ３３２としての応答速度が速くなる。これにより、呑み込みの発生をより確実に防止できる。また、バネ（図示せず）の付勢力を弱めても十分な応答速度が得られるので、ソレノイド３６４の駆動力を低減でき、低コスト化・小型化・省電力化が可能となる。
【００６５】
次に、図４、図６、図１０および図１４を参照しながら、第２の回転停止装置６００について説明する。第２の回転停止装置６００は、コインＣによる羽根車３０２の回転を停止する機能を有している。図１４に示すように、回転体５０６には切り欠き５０７のそれぞれに対応した縁部５２６、５２８が形成され、縁部５２６、５２８は回転体５０６の外周縁５０６ａから回転軸線ＲＬに向けて延在している。さらに、縁部５２６は回転体５０６の外周縁５０６ａから回転軸線ＲＬの反対方向に延在するように形成されて係止部６１０を構成している。第２の回転停止装置６００は、係止部６１０の回転経路に出没可能に支軸６０８を軸に回動可能に形成されたストッパ６０２と、ストッパ６０２に対してほぼ直交するように支軸６０８を起点として形成された揺動部材６０６と、を有している。ストッパ６０２および揺動部材６０６は支軸６０８に固定されているため、ストッパ６０２の回動動作に連動して、揺動部材６０６も支軸６０８を軸に回動される。一方、係止部６１０は、本実施の形態では回転体５０６の切り欠き５０７の縁部５２６が回転体５０６の外周方向に突出するように形成されている。第２の回転停止装置６００は、ストッパ６０２の端部６０４が、係止部６１０の端部（換言すると、切り欠き５０７の縁部５２６の突出部）とが接触することで羽根車３０２の回転を停止される。
【００６６】
図４（ｂ）、図６、図１４（ａ）に示すように、揺動部材６０６は逸らせ体２６８とベース１０２の背面側で接続されている。逸らせ体２６８はコイン通路１０６に突出した状態で保持されるように付勢されている。コインＣが導入されない待機状態では、逸らせ体２６８はコイン通路１０６に突出しているため、揺動部材６０６は逸らせ体２６８から押圧力を受けず、第１ガイド壁１３２に接近した状態で保持され、ストッパ６０２は揺動部材６０６に連動して回転体５０６に相対する位置に移動する。換言すると、ストッパ６０２の端部６０４が、係止部６１０の縁部５２６と接触する位置に移動して保持されるため、羽根車３０２の回転が停止される。すなわち、コインＣが導入されない待機状態では、ストッパ６０２は羽根車３０２の回転が停止される位置に常時保持されることとなる。
【００６７】
一方、コイン通路１０６にコインＣが導入された場合は、逸らせ体２６８はコインＣによって付勢力に逆らって押され、コイン通路１０６から退避して、ベース１０２の背面側で第１ガイド壁１３２から突出するため、揺動部材６０６は逸らせ体２６８の押圧力を受け、第１ガイド壁１３２から離れる方向へ回動される。ストッパ６０２は揺動部材６０６の回動に連動して、回転体５０６から離れるように羽根３２１、３２２、３２３側に回動される。換言すると、ストッパ６０２は、係止部６１０と接触しない位置に移動し、羽根車３０２の停止保持状態が解除され、羽根車３０２が回転できる状態となる。
【００６８】
なお、本実施の形態では係止部６１０を回転体５０６の切り欠き５０７の縁部５２６と一体に設けたが、ストッパ６０２の端部６０４と接触する面を有する突出部を回転体５０６の外周縁５０６ａに構成しても構わない。
【００６９】
（コイン落下装置）
コイン落下装置１１４は、第２コイン通路部１６４の軸線Ｌ３に平行な支軸４０４に回動自在に支持されることによって姿勢変更可能な可動ガイドレール４０２と、可動ガイドレール４０２を所定の姿勢に保持する姿勢保持機構４０６と、を含んでいる。可動ガイドレール４０２は、ガイドレール２５６およびガイドレール１４４の間に配置され、コイン通路１０６の第２コイン通路部１６４を形成している。
【００７０】
まず、図６、図１３および図１５を参照しながら、可動ガイドレール４０２について説明する。可動ガイドレール４０２は、軸線Ｌ３に平行な方向に延在してコインＣの外周面を案内する案内面４０８を有するガイドレール本体部４１２と、ベース１０２の背面側においてガイドレール本体部４１２の左端部（図１３では右端部）から突出する錘部４１４と、を含んでいる。
【００７１】
ガイドレール本体部４１２は、第１ガイド壁１３２のほぼ中央に形成された横長矩形の開口１８０内に配置される（図６参照）。ガイドレール本体部４１２は、支軸４０４を中心に対し回動し、案内面４０８が第２コイン通路部１６４内に突出する第１姿勢Ｓ１と、案内面４０８が第２コイン通路部１６４から退出する第２姿勢Ｓ２と、に姿勢変更可能である。すなわち、ガイドレール本体部４１２が図１５の時計方向Ｒ１に回転した場合、案内面４０８が第１ガイド壁１３２の第１コイン案内面１４０に対しほぼ直角に突出し、案内面４０８がベース１０２のカバー部１４６の底部１４６ａに当接して回転が停止される。この状態において、第２コイン通路部１６４に導入されたコインＣが案内面４０８上を転動可能な第１姿勢Ｓ１となる。ガイドレール本体部４１２が図１５の反時計方向Ｒ２に回転した場合、案内面４０８が第１コイン案内面１４０に平行となり、錘部４１４が第１ガイド壁１３２の裏面に当接して回転が停止される。この状態において、ガイドレール本体部４１２が開口１８０内に収納され、第２コイン通路部１６４に導入されたコインＣが自重により下方に落下する第２姿勢Ｓ２となる。
【００７２】
錘部４１４は、図１５に示すように、支軸４０４を挟んでガイドレール本体部４１２の反対側において案内面４０８に対し斜め下方に向けて突出し、その自重によってガイドレール本体部４１２を図１５の時計方向Ｒ１に回転させる作用を有する。換言すれば、錘部４１４は、ガイドレール本体部４１２を第２姿勢Ｓ２から第１姿勢Ｓ１に姿勢変更させる機能を有している。
【００７３】
次に、図１３および図１６を参照しながら、姿勢保持機構４０６について説明する。姿勢保持機構４０６は、ストッパ３３２を構成する揺動レバー３３６の左側面（図１３（ａ）では右側面）に設けられた係止体４１６と、ガイドレール本体部４１２の右端部（図１３（ａ）では左端部）にレバー４１８を介して支持された保持体４２０と、により構成される。係止体４１６は、左側方（図１３（ａ）では右側方）に傾斜する斜面４１６ａを有するほぼ三角錐形状をなし、揺動レバー３３６と一体で形成されている。保持体４２０は湾曲した小判形の上面および底面を有する柱形であって、底面はガイドレール本体部４１２から外方に延びるレバー４１８に接続されている。レバー４１８および係止体４１６は、ガイドレール本体部４１２と一体で形成されている。
【００７４】
係止体４１６は、揺動レバー３３６が起立姿勢から傾斜姿勢となることにより、図１３（ａ）および（ｂ）に示すように時計方向に回転し、ガイドレール本体部４１２が第１姿勢Ｓ１の状態で保持体４２０を係止する。これにより、ガイドレール本体部４１２の第１姿勢Ｓ１が保持される。また、ガイドレール本体部４１２が第２姿勢Ｓ２である場合にも、揺動レバー３３６が起立姿勢から傾斜姿勢となることにより、図１６（ａ）および（ｂ）に示すように、係止体４１６の斜面４１６ａが保持体４２０の上面を押動するため、レバー４１８を介してガイドレール本体部４１２を矢印Ｒ１の方向に回転させる。これにより、ガイドレール本体部４１２が第２姿勢Ｓ２から第１姿勢Ｓ１に変更された後、その第１姿勢Ｓ１が保持される。
【００７５】
ガイドレール本体部４１２が保持体４２０により第１姿勢Ｓ１に保持されることで、第２コイン通路部１６４に導入されたコインＣは案内面４０８上を転動し、第３コイン通路部１６６へ向かう。このとき、揺動レバー３３６は傾斜姿勢にあり、ストッパ３３２の係止体３３８は退出位置Ｐ１にあるため、羽根車３０２は停止されることなく回転可能である。したがって、第２コイン通路部１６４を転動したコインＣは羽根車３０２に移動を規制されることなく、第３コイン通路部１６６を通ってコイン排出口１２４から排出される。他方、ガイドレール本体部４１２が保持体４２０により第１姿勢Ｓ１に保持されない場合、揺動レバー３３６は起立姿勢にあり、ストッパ３３２の係止体３３８は突出位置Ｐ２にあるため、羽根車３０２の回転が停止される。したがって、第２コイン通路部１６４に導入されたコインＣは、羽根車３０２の羽根３２１、３２２、３２３のうち係止体３３８に係止されたものに下流への移動を阻止される。そして、移動を阻止されたコインＣは、コインＣの自重によりガイドレール本体部４１２が第１姿勢Ｓ１から第２姿勢Ｓ２となり、第２コイン通路部１６４から下方に落下する。換言すれば、コイン落下装置１１４は、ストッパ３３２の退出位置Ｐ１から突出位置Ｐ２への変位（すなわち、羽根車３０２の回転停止）に連動してコインＣを落下させる機能を有している。しかも、姿勢保持機構４０６において、係止体４１６はストッパ３３２と一体で形成され、保持体およびレバー４１８は可動ガイドレール４０２のガイドレール本体４１２と一体で形成されるので、ストッパ３３２と連動するコイン落下装置１１４を低コストで実現できる。
【００７６】
（コイン検知装置）
コイン検知装置１１６は、コイン通路１０６の第３コイン通路部１６６に配置され、コイン落下装置１１４によって排除されることなく第２コイン通路部１６４を通過して第３コイン通路部１６６に導入されたコインＣを検知する。コイン検知装置１１６は、透過型光電センサ、反射型光電センサ、磁気センサおよび接触センサ等を使用することができ、複数配置することが好ましい。検知信号の出力順等を判別することにより、外部からの不正用器具の挿入による不正を判別できるからである。また、異なる方式のセンサを用いた場合、不正を行うには異なるセンサに対応して誤検知を生じるよう行わねばならないため、不正を一層困難にする利点がある。
【００７７】
本実施例では、コイン検知装置１１６は、第３コイン通路部１６６において互いに近接して配置された透過型光電式の２つのコインセンサ４５２、４５４を含んでいる。コインセンサ４５２、４５４は、第３コイン通路部１６６を挟んで配置された投光部および受光部をそれぞれ有し、コインＣの検知に伴って所定出力レベルの電気的な第１コイン検知信号ＣＳ１および第２コイン検知信号ＣＳ２を出力する。コインセンサ４５２、４５４は、センサ保持部４５６を介してベース１０２に取り付けられている。第３コイン通路部１６６において上流側に配置されたコインセンサ４５２は、第２コイン通路部１６４から第３コイン通路部１６６へ移動途中のコインＣを検出可能とするため、第２コイン通路部１６４の近傍に配置される。
【００７８】
（糸吊り防止装置）
糸吊り防止装置１２０は、コインＣに天蚕糸等を括り付けて一旦真正コインと判定されたコインＣを当該天蚕糸によって引き戻し、再び真正コインとして判定させる不正を防止する機能を有する。図７に示すように、本実施例では、糸吊り防止装置１２０は第３コイン通路部１６６の右上方に配置されている。糸吊り防止装置１２０は、図１７（ａ）に示すように、第１ガイド壁１３２の裏面に垂直な矩形状の突出壁４６２（図４参照）に取り付けられた横向きの支軸４６４と、支軸４６４に回動自在に支持された引き戻し防止体４６６と、を含んでいる。引き戻し防止体４６６は平面視略矩形の本体部４６８を有し、本体部４６８の一角に形成された軸挿入孔４６９に支軸４６４が挿入されている。本体部４６８には、その一側面４６８ａに対し直角に突出する係止突起４７０が形成されており、側面４６８ａおよび係止突起４７０によりヘの字型の係止凹部４７２が構成されている。引き戻し防止体４６６のコイン排出口１２４側の一面には、係止凹部４７２から本体部４６８の側面４６８ｂに向けて延在する凹溝４７４が形成されている。
【００７９】
第１ガイド壁１３２（換言すれば、第１コイン案内面１４０）は垂直方向に対して傾斜しているため、図１７（ａ）に示すように、引き戻し防止体４６６は自己モーメントによって支軸４６４に対し対角に位置する円弧状の隅部４６８ｃを下方に向けた傾斜姿勢となり、係止突起４７０が第１ガイド壁１３２に形成された矩形の開口１７８を介して第３コイン通路部１６６内に突出する。換言すれば、引き戻し防止体４６６が第３コイン通路部１６６を横断する。この傾斜姿勢で第２コイン通路部１６４から第３コイン通路部１６６に導入されたコインＣは図７において右斜め下方に移動するため、引き戻し防止体４６６の側面４６８ｂがコインＣによって押動される。この押動力により引き戻し防止体４６６は支軸４６４を中心に図１７（ａ）の半時計方向に回転し、図１７（ｂ）に示すように、引き戻し防止体４６６が第３コイン通路部１６６から退出する。これにより、第３コイン通路部１６６においてコインＣはコイン排出口１２４に向けて移動可能となる。他方、コインＣが引き上げられた場合、図１７（ｃ）に示すように、コインＣが引き戻し防止体４６６の係止凹部４７２に接触し、引き戻し防止体４６６を時計方向に回転させる押動力が係止凹部４７２に作用する。しかしながら、引き戻し防止体４６６の側面４６８ｂが第１ガイド壁１３２の開口１７８の内壁面に係止されるため、引き戻し防止体４６６の時計方向への回転が阻止される。さらに、コインＣの先端が凹溝４７４内に進入するため、凹溝４７４によってコインＣの厚み方向の移動が規制される。したがって、一度引き戻し防止体４６６を通過したコインＣを引き戻すことは不可能である。
【００８０】
また、糸吊り防止装置１２０は、コイン排出口１２４から不正用器具の挿入を防止する機能も有している。すなわち、コイン排出口１２４から不正用器具を挿入した場合、上記コインＣの場合と同様に、引き戻し防止体４６６が不正用器具のコイン通路１０６の上流側への移動を阻止する。これにより、不正用器具のコイン検知装置１１６に対するアクセスを防止できる。
【００８１】
（カバー部材）
カバー部材１１８は、ほぼ円錐台の一部を切り欠いたものを上下対称に接続した外形状を有する羽根車カバー部４８２と、上面視コの字形に形成された落下コイン案内部４８４と、ベース１０２の第１ガイド壁１３２に相対する第４ガイド壁４８５と、を有している（図２参照）。羽根車カバー部４８２は、その左端部４８６において開閉体１０４のカバー部２３０の右側端部２４４と相対するよう配置され、開閉体１０４のカバー部２３０と共に羽根車３０２をベース１０２の前面側において保護する機能を有している。
【００８２】
落下コイン案内部４８４は、ベース１０２の左側壁１３４に平行な左側壁４８７と、羽根車３０２の回転軸線ＲＬに平行であって左斜め下方に傾斜した右側壁４８８と、左側壁４８７および右側壁４８８のそれぞれの前端に接続された上端が右斜め下方に傾斜する前壁４９０と、によって構成される。落下コイン案内部４８４の左側壁４８７、右側壁４８８および前壁４９０と、ベース１０２の第１ガイド壁１３２によって下方に窄んだ筒状体４９２が形成される。上述した通り、コイン落下開口２０８から落下するコインＣは開閉体１０４の案内突条２８６によりベース１０２の斜め前方に向けて滑落する。滑落したコインＣは落下コイン案内部４８４の前壁４９０に接触または衝突することにより、ベース１０２の前面側への移動が規制される。これにより、コインＣは飛散することなく確実に所定の場所へ案内される。
【００８３】
第４ガイド壁４８５は、羽根車カバー部４８２の左側方において第１ガイド壁１３２に対し平行に配置されている。第４ガイド壁４８５の裏面は、第１ガイド壁１３２の表面からコインＣの厚みより僅かに大きい間隔を置いて配置される。これにより、第４ガイド壁４８５の裏面は、第３コイン通路部１６６を形成する第４コイン案内面４９４として機能する（図１０参照）。
【００８４】
カバー部材１１８において、左側壁４８７には掛止突起４９６が形成され、第４ガイド壁４８５にはベース１０２の右側壁１３６に平行に延びる支持板４９７を介して掛止突起４９８が形成されている。掛止突起４９６はベース１０２の左側壁１３４に形成された矩形の掛止孔１３９ａに掛け止めされ（図３（ａ）参照）、掛止突起４９６はベース１０２の右側壁１３６に形成された矩形の掛止孔１３９ｂに掛け止めされる（図３（ｂ）参照）。これにより、カバー部材１１８がベース１０２に固定される。
【００８５】
（背面カバー部材）
背面カバー部材１５０は、ベース１０２の背面側において、コイン検知装置１１６と、コイン落下装置１１４と、駆動装置３６０と、回転体５０６の回転位置を検知する検知器５２４とを覆うように設けられている。本実施例では、背面カバー部材１５０は略Ｌ字形状をしている。背面カバー部材１５０の頭頂部は、羽根車カバー部４８２の頭頂部とほぼ同じ高さとなるように構成されている（図４参照）。ベース１０２の背面側に露出した部材が背面カバー部材１５０によって覆われているため、偽コインを落下させないようにコイン落下装置１１４のストッパ３３２などをワイヤーで固定するなど、ベース１０２の背面側からの不正行為を軽減できる。また、コイン検知装置１１６などのセンサ類への不正も軽減できる。さらに、背面カバー部材１５０によって背面側に露出した部材の周囲の貫通孔も覆われているため、クモ、ゴキブリなどの小型の生物による前記貫通孔からコインセレクタ１００への進入が抑制される。
【００８６】
背面カバー部材１５０は本実施例の形状に限らず、コイン検知装置１１６などベース１０２の背面側で露出している部材や、ベース１０２の背面に設けた孔部などを覆う形状であれば構わない。例えば、ベース１０２全体を覆う形状でも構わない。例えば、背面カバー部在１５０を複数個に分割し、ベース１０２の背面側で露出している部材それぞれに対して配置しても構わない。
【００８７】
背面カバー部材１５０はベース１０２の背面側からビスで固定されている。これにより、背面カバー部材１５０の取り外しには工具が必要となるため、容易に背面カバー部在１５０を取り外すことができなくなり、コインセレクタ１００への不正が抑制される。背面カバー部材１５０の固定方法は、ビス止めに限らず、接着剤やリベットなどによる固定、ベース１０２の背面に設けた貫通孔と背面カバー部材１５０に設けた係止部材による係止、などの固定方法でも構わないが、背面カバー部在１５０の取り外し困難な固定方法が望ましい。
【００８８】
（不正防止装置）
不正防止装置１２６は、羽根車３０２と、コインＣが下流へ移動する方向の羽根車３０２の回転は許容するが逆方向の羽根車３０２の回転を阻止するワンウェイクラッチ５０２および逆転防止装置７３０と、羽根車３０２の回転を検出する回転検出装置５０４とを含んでいる。ワンウェイクラッチ５０２および回転検出装置５０４は羽根車３０２の上部に設けられ、逆転防止機構は７３０は羽根車３０２の下部に設けられている。
【００８９】
まず、図２２を参照しながら、不正防止装置１２６としての羽根車３０２の作用について説明する。羽根車３０２は、コイン投入口１２２から挿入された不正用器具ＩＴがコイン検知装置１１６に到達するのを防止する機能を有している。特に、コイン通路１０６に沿った平面形状を有する板状の不正用器具ＩＴが使用された場合に有効である。
【００９０】
上述した通り、羽根車３０２は、コイン通路１０６において前後する羽根３２１と羽根３２２、羽根３２２と羽根３２３、および羽根３２３と羽根３２１の間に１枚のコインＣが挟まれるように、羽根３２１、３２２、３２３が配置される。不正用器具ＩＴをコイン投入口１２２から挿入すると、不正用器具ＩＴの先端の先端がコイン通路１０６内に突出する羽根３２１、３２２、３２３のいずれか１枚を押動して羽根車３０２が回転する。例えば、図２２（ａ）に示すように、羽根３２１がコイン通路１０６内に突出する場合、不正用器具ＩＴの先端により羽根３２１が押動されて羽根車３０２が回転する（図２２（ｂ）参照）。不正用器具ＩＴをさらに押し進めると、図２２（ｃ）に示すように、羽根車３０２の回転に伴って羽根３２１がコイン通路１０６から退出する前に後続の羽根３２２がコイン通路１０６内に突出する。そのため、不正用器具ＩＴはコイン通路１０６の第１コイン案内面１４０と羽根３２２とに挟まれて、それ以上押し進めることができない。したがって、不正用器具ＩＴの先端をコイン検知装置１１６に到達させることはほぼ不可能である。
【００９１】
次に、主に図１８（ａ）を参照しながら、ワンウェイクラッチ５０２について説明する。ワンウェイクラッチ５０２は、回転軸線ＲＬの回りを羽根車３０２と一体で回転する回転体５０６に形成された３つの傾斜溝５０８と、傾斜溝５０８内に少なくとも一部を挿入可能に配置された球体５１０と、球体５１０の上下方向（換言すれば、回転軸線ＲＬに平行な方向）の移動を許容するが他方向の移動を規制する球体移動規制体５１２と、により構成される。回転体５０６は、外周縁５０６ａに切り欠き５０７が形成された所定の半径を有する円板であって、回転軸線ＲＬに対し３回転対称（換言すれば、１２０度の回転対称）である。回転体５０６は、羽根支持体３０６の上端から回転軸線ＲＬに沿って上方に延在する円柱状の支持体５１４を介して設けられている。
【００９２】
傾斜溝５０８は、回転体５０６の外周縁５０６ａに沿って円弧状に湾曲し、切り欠き５０７に対して回転軸線ＲＬ側に配置され、球体５１０の直径より僅かに小さい幅を有している。傾斜溝５０８は、最大深さとなる円弧状の内端面５０８ａと、羽根車３０２の回転方向ＦＲとは逆の回転方向ＢＲに向けて深さが浅くなる傾斜底面５０８ｂとを有している。支軸３１２の上端において回転軸線ＲＬに沿った方向から見て、傾斜溝５０８の内端面５０８ａは、回転軸線ＲＬと羽根３２１、３２２、３２３の先端とを結ぶ直線より回転方向ＦＲ側に位置し、切り欠き５０７のほぼ中央と回転軸線ＲＬとを結ぶ直線Ｌ４において傾斜溝５０８の傾斜底面５０８ｂが回転体５０６の上面５０６ｂと一致する。
【００９３】
球体移動規制体５１２は、軸支持部１９２の右側方に配置され（図６参照）、回転体５０６の上面５０６ｂに対し所定の間隔を置いて平行に配置された平板部５１２ａを有している。平板部５１２ａには傾斜溝５０８に対応する位置に球体５１０の直径より僅かに大径の貫通孔５１６が形成され、球体５１０が貫通孔５１６内に配置される。これにより、球体５１０の貫通孔５１６の周方向への移動は規制されるが、球体５１０の貫通孔５１６の軸方向への移動（換言すれば、上下動）は許容される。
【００９４】
上記構成により、コイン通路１０６におけるコインＣの下流への移動によって羽根車３０２が回転方向ＦＲに回転した場合、自重により傾斜溝５０８に落下した球体５１０は、傾斜溝５０８内において傾斜底面５０８ｂ上を転動し、回転体５０６の上面５０６ｂに達して上面５０６ｂ上を転動する。そのため、羽根車３０２の回転方向ＦＲへ回転は、規制されることなく継続される。他方、羽根車３０２が回転方向ＦＲと相反する回転方向ＢＲに回転された場合、自重により傾斜溝５０８に落下した球体５１０は、傾斜溝５０８の内端面５０８ａに当接する。そのため、羽根車３０２の回転方向ＢＲへの回転が停止される。すなわち、コインＣが下流へ移動する方向の羽根車３０２の回転は許容され、逆方向の羽根車３０２の回転が阻止される。上記の通り、傾斜溝５０８の内端面５０８ａは、回転軸線ＲＬと羽根３２１、３２２、３２３の先端とを結ぶ直線より回転方向ＦＲ側に位置する。そのため、羽根車３０２の羽根３２１、３２２、３２３のいずれか１枚が第２コイン通路部１６４から退出する直前の状態（図１２（ｂ）の状態）で羽根車３０２の逆方向の回転が停止される。
【００９５】
なお、ワンウェイクラッチ５０２として、上記と同様の機能を有する他の構成のものを使用することができる。しかし、上記構成とすることにより低コストで実現できる利点がある。
【００９６】
ワンウェイクラッチ５０２は、糸吊り防止装置１２０と同様に、コインＣに天蚕糸等を括り付けて一旦真正コインと判定されたコインＣを当該天蚕糸によって引き戻し、再び真正コインとして判定させる不正を防止する機能を有する。すなわち、コイン検知装置１１６が配置された第３コイン通路部１６６に到達したコインＣを引き戻そうとしても、図１２（ａ）に示すように、羽根車３０２の羽根３２１、３２２、３２３のいずれか１枚が第２コイン通路部１６４に突出した状態で羽根車３０２の逆方向の回転が阻止されるため、コインＣを引き戻すことはほぼ不可能である。
【００９７】
次に、図１８（ｂ）を参照しながら、回転検出装置５０４について説明する。回転検出装置５０４は、上記した３つの切り欠き５０７が形成された回転体５０６と、回転体５０６の回転位置を検知する検知器５２４と、を含んでいる。回転体５０６の切り欠き５０７は、回転体５０６の外周縁５０６ａに沿って湾曲した台形状であり、羽根車３０２の羽根３２１、３２２、３２３に対応して形成されている。回転体５０６には切り欠き５０７のそれぞれに対応した縁部５２６、５２８が形成され、縁部５２６、５２８は回転体５０６の外周縁５０６ａから回転軸線ＲＬに向けて延在している。回転体５０６において、切り欠き５０７を除く円環状部分が検知器５２４を作用させる作用領域５３２であり、切り欠き５０７が非作用領域５３４である。換言すれば、作用領域５３２は、検知器５２４により検知される被検知部５３３である。被検知部５３３は、縁部５２６、５２８により画定される。
【００９８】
縁部５２６は、羽根３２１、３２２、３２３の羽根支持体３０６の外周面３０８における角度間隔をほぼ二等分する位置に配置される。換言すれば、羽根３２１、３２２、３２３が第２コイン通路部１６４内に突出し、コインＣが前後する羽根３２１、３２２、３２３に挟まれた状態で被検知部５３３が検知器５２４により検知されるよう縁部５２６が配置される。これにより、コインＣを投入する前の初期状態において羽根車３０２の静止位置（換言すれば、羽根３２１、３２２、３２３の静止位置）にかかわらず、第２コイン通路部１６４におけるコインＣの移動が確実に検知される。縁部５２８は、羽根３２１、３２２、３２３の回転方向ＦＲ側の表面（換言すれば、コインＣを押動する面）に対応して配置される。換言すれば、回転軸線ＲＬを通り第１コイン案内面１４０に直角な面を羽根３２１、３２２、３２３が横切った時点で検知器５２４による被検知部５３３の検知が終了する。これにより、検知器５２４の検知期間中に第３コイン通路部１６６を移動するコインＣがコイン検知装置１１６により検知される。
【００９９】
検知器５２４は、回転体５０６の被検知部５３３を検知する機能を有する。検知器５２４としては、透過型光電センサ、反射型光電センサ、磁気センサおよび接触センサ等を使用することができる。本実施例では、回転体５０６を挟んで配置された投光部および受光部を有する透過型の光電センサ５３６である。光電センサ５３６は、ベース１０２の背面側において第１ガイド壁１３２に形成されたセンサ保持部５２５を介して取り付けられている。コインセンサ４５２、４５４と同じタイプの光電センサ５３６を使用することにより部品の共用が可能となり、コストを低減できる利点がある。光電センサ５３６は、回転体５０６の被検知部５３３を検知した場合、所定レベルの電気的な回転検出信号ＲＳを出力する。光電センサ５３６は、コイン通路１０６の外部に配置されるため、コイン通路１０６に不正用器具を挿入しても光電センサ５３６に対して不正にアクセスすることはほぼ不可能である。
【０１００】
上記構成により、回転検出装置５０４は、羽根車３０２の回転位置に対応した回転検出信号ＲＳを出力する。羽根車３０２はコイン通路１０６を転動するコインＣにより回転されるため、羽根車３０２の回転が検出されていないにもかかわらずコイン検知装置１１６によりコインＣが検知された場合、コイン検知装置１１６に対する不正が行われたと判別できる。さらに、１枚のコインＣが第２コイン通路部１６４を通過する度に回転検出信号ＲＳが出力され、回転検出装置５０４の光電センサ５３６によるコインＣの検知とコイン検知装置１１６のコインセンサ４５２、４５４によるコインＣの検知とが一対一で対応するので、コイン検知装置１１６に対する不正をより確実に判別できる。
【０１０１】
なお、上記作用領域５３２を非作用領域とし、上記非作用領域５３４を作用領域としてもよい。この場合、非作用領域に対応して信号を出力する所謂負論理の光電センサ５３６を用いることにより、上記と同じ回転検出信号ＲＳが出力される。
【０１０２】
次に、図１４を参照しながら、逆転防止装置７３０について説明する。逆転防止装置７３０は、羽根車３０２の大径部３１８の下端部に設けられたギヤ部７３４と、ギヤ部７３４の下方に配置され、支軸７３６の周りを回動可能に設けられた歯止め部７３２とからなる、所謂ラチェット機構から構成されている。本発明の実施例では、歯止め部７３２は、ギヤ部７３４と噛み合う歯止め先端部７３２ａと、支軸７３６に対して歯止め先端部７３２ａと反対側に設けられ、歯止め先端部７３２ａをギヤ部７３４に向かって付勢する付勢部７３２ｂとが一体的に形成されている。付勢部７３２ｂの重量が歯止め先端部７３２ａの重量より大きくなるように構成されているため、歯止め先端部７３２ａがギヤ部７３４に向かって常時付勢されている。なお、歯止め部７３２はこの構成に限定されず、付勢部７３２ｂを設ける代わりに、バネなどの弾性力によって歯止め先端部７３２ａをギヤ部７３４に常時付勢するように構成しても構わない。
【０１０３】
ギヤ部７３４の歯のそれぞれには、羽根車３０２の回転方向ＦＲに対して、前方側に傾斜面が形成され、後方側に回転軸線ＲＬに平行な垂直面が形成されている。歯止め部７３２の歯止め先端部７３２ａは、羽根車３０２の回転方向ＦＲに対して、前方側に回転軸線ＲＬに平行な垂直面が形成され、後方側に傾斜面が形成されている。換言すると、ギヤ部７３４の歯の傾斜面と歯止め部７３２の歯止め先端部７３２ａの傾斜面とが相対し、ギヤ部７３４の歯の垂直面と歯止め部７３２の歯止め先端部７３２ａの垂直面とが相対するように構成されている。
【０１０４】
羽根車３０２が回転方向ＦＲに回転する場合、ギヤ部７３４の歯の傾斜面と歯止め先端部７３２ａの傾斜面とが接触するが、歯止め先端部７３２ａの傾斜面がギヤ部７３４の歯の傾斜面によって押され、付勢部７３２ｂの付勢力に逆らって歯止め先端部７３２ａがギヤ部７３４の歯の先端に向かって移動し、歯止め先端部７３２ａがギヤ部７３４の歯を乗り越えることができる。したがって、羽根車３０２が回転方向ＦＲに回転する場合、歯止め先端部７３２ａはギヤ部７３４の歯を次々と乗り越え、羽根車３０２の回転方向ＦＲへの回転が継続される。
【０１０５】
一方、羽根車３０２が回転方向ＦＲと逆方向である回転方向ＢＲに回転する場合、ギヤ部７３４の歯の垂直面と歯止め先端部７３２ａの垂直面とが接触し、ギヤ部７３４の歯の垂直面によって歯止め先端部７３２ａの垂直面が押されるが、羽根車３０２が回転方向ＦＲに回転する場合と異なり、歯止め先端部７３２ａがギヤ部７３４の歯の先端に向かって移動することができない。したがって、羽根車３０２が回転方向ＢＲに回転する場合、ギヤ部７３４の歯の垂直面と歯止め先端部７３２ａの垂直面との接触によって羽根車３０２の回転が停止される。すなわち、羽根車３０２の逆転が防止される。
【０１０６】
なお、本発明の実施例において逆転防止装置７３０は、羽根車３０２の大径部３１８の下端部に設けられているが、これに限定されず、大径部３１８の下端を羽根３２１，３２２，３２３の下端より延長させ、その延長部の周面にギヤ部を設けても構わない。また、突起版３１４、回転体５０６、支軸３１２の周面等の羽根車３０２の回転を妨げない個所に設けても構わない。
【０１０７】
（除電部）
第１除電部８００および第２除電部８５０について、図３、図４、図２５を参照しながら説明する。コインＣは、コインＣの一面と第１コイン案内面１４０とが擦れ合いながらコイン通路１０６を羽根車３０２に向かって転動するので、コインＣの一面と第１コイン案内面１４０との擦れ合いによって発生した静電気がコインＣに帯電する。コインセレクタ１００には、第１および第２除電部８００、８５０が配置されている。コインＣに帯電した静電気は、コインCがコイン通路１０６を通過中に、第１および第２除電部８００、８５０のそれぞれによって除去される。
【０１０８】
コインCは、コインCの周面を第１ガイド部材２５２に支持され、コインCの上端部が第２ガイド部材２６０に支持されながら、コイン通路１０６を通過する。第１ガイド部材２５２および第２ガイド部材２６０のそれぞれは、金属および導電性樹脂などの導電性を有する材料で形成されている。第２コイン案内面２０６が第１コイン案内面１４０と相対する状態、換言すれば、開閉体枠２０４がベース１０２に対して閉状態において、第１除電部材８００は第１ガイド部材２５２に電気的に接続されると共に、第２除電部材８５０は第２ガイド部材２６０に電気的に接続されている。これにより、コインＣに帯電した静電気は、第１および第２ガイド部材２５２、２６０のそれぞれを介して第１および第２除電部８００、８５０のそれぞれによって除去される。なお、以降の第１除電部８００および第２除電部８５０に関する説明において、特別な記載がない限り開閉体枠２０４がベース１０２に対して閉状態である場合について説明する。
【０１０９】
まず、第１除電部８００について説明する。第１除電部８００は、第１ガイド部材２５２と電気的に接続されるように構成されている。第１除電部８００は、金属および導電性樹脂などの導電性を有する除電端子８０４および除電線８０２を含んで構成されている。除電端子８０４は、ネジやボルトなどの締結具から形成されている。除電端子８０４は、第１ガイド壁１３２の開閉体枠２０４と反対側（以下、背面側と記載する）から、ベース１０２の第１ガイド壁１３２に設けられた貫通孔８０６に挿入されている。除電端子８０４は、一方の端部が第１ガイド壁１３２の開閉体枠２０４側の面（以下、表面と記載する）から突出して第１ガイド部材２５２と接触するように構成されている。これにより、除電端子８０４は、第１ガイド部材２５２と電気的に接続されている。
【０１１０】
除電線８０２は線状部材から形成されている。除電線８０２は、第１ガイド壁１３２の背面側において、一方の端部が除電端子８０４に電気的に接続されている。これにより、第１ガイド部材２５２と除電線８０２とは、除電端子８０４を介して電気的に接続されている。除電線８０２の他方の端部は、ベース１０２の左側壁１３４に形成された突起１４２の一方に固定されている。第１ガイド壁１３２の背面、左側壁１３４および除電線８０２が固定される突起１４２には、除電線８０２の直径と略同じ幅を有する溝８０８が形成されている。溝８０８は、貫通孔８０６から突起１４２の先端まで連続的に形成されている。除電線８０２は溝８０８に挿入されている。
【０１１１】
除電線８０２は、遊技機の除電部（図示せず）と電気的に接続される。これにより、コインＣに帯電した静電気は、第１ガイド部材２５２、除電端子８０４、除電線８０２を介して遊技機の除電部（図示せず）から放電される。例えば、コインセレクタ１００が取り付けられる遊技機の取り付け部（図示せず）が導電性を有する場合、除電線８０２が遊技機の取り付け部（図示せず）を介して遊技機の除電部（図示せず）と電気的に接続されることによって、コインＣに帯電した静電気は遊技機の除電部（図示せず）から放電される。一方、遊技機の取り付け部（図示せず）が導電性を有さない場合、除電線８０２が導電線や導電板などの部材を介して遊技機の除電部（図示せず）と電気的に接続されることによって、コインＣに帯電した静電気は遊技機の除電部（図示せず）から放電される。
【０１１２】
次に、第２除電部８５０について説明する。第２除電部８５０は、第２ガイド部材２６０と電気的に接続されるように構成されている。第２除電部８５０は、金属および導電性樹脂などの導電性を有する接触端子８５６、付勢部材８５８、除電端子８５４および除電板８６０を含んで構成されている。接触端子８５６は棒状部材から形成されている。接触端子８５６は、ベース１０２の第１ガイド壁１３２に設けられた貫通孔８６２に挿入されている。接触端子８５６は、一方の端部が第１ガイド壁１３２の表面側に突出して第２ガイド部材２６０と接触するように配置されている。これにより、接触端子８５６は第２ガイド部材２６０と電気的に接続されている。
【０１１３】
付勢部材８５８はコイルバネなどの弾性部材から形成されている。付勢部材８５８は貫通孔８６２に挿入されている。付勢部材８５８は、一方の端部が接触端子８５６と接触し、接触端子８５６と電気的に接続されている。除電端子８５４は、ネジやボルトなどの締結具から形成されている。除電端子８５４は貫通孔８６２に挿入されている。除電端子８５４は、一方の端部が付勢部材８５８と接触し、付勢部材８５８と電気的に接続されている。これにより、除電端子８５４は、接触端子８５６および付勢部材８５８を介して第２ガイド部材２６０と電気的に接続されている。
【０１１４】
除電端子８５４は、貫通孔８６２に挿入された時、付勢部材８５８を第１ガイド壁１３２の表面側に向かって押圧するように構成されている。これにより、付勢部材８５８は接触端子８５６を第１ガイド壁１３２の表面側、換言すれば、第２ガイド部材２６０に向けて付勢する。そのため、接触端子８５６は、付勢部材８５８からの付勢力によって、貫通孔８６２内を第２ガイド部材２６０から離れる方向への移動が抑制され、第２ガイド部材２６０との接触が維持される。
【０１１５】
除電板８６０は板状部材から形成されている。除電板８６０は、第１ガイド壁１３２の背面側において、一方の端部が除電端子８５４に電気的に接続されている。これにより、第２ガイド部材２６０と除電板８６０とは、接触端子８５６、付勢部材８５８および除電端子８５４と介して電気的に接続されている。除電板８６０の他方の端部は、ベース１０２の右側面１３６に設けられた切欠８５２を貫通して、突起１４２が形成された側の面に達するように形成されている。
【０１１６】
除電板８６０は、遊技機の除電部（図示せず）と電気的に接続される。これにより、コインＣに帯電した静電気は、第２ガイド部材２６０、接触端子８５６、付勢部材８５８、除電端子８５４、除電板８６０を介して遊技機の除電部（図示せず）から放電される。例えば、コインセレクタ１００が取り付けられる遊技機の取り付け部（図示せず）が導電性を有する場合、除電板８６０が遊技機の取り付け部（図示せず）を介して遊技機の除電部（図示せず）と電気的に接続されることによって、コインＣに帯電した静電気は遊技機の除電部（図示せず）から放電される。一方、遊技機の取り付け部（図示せず）が導電性を有さない場合、除電板８６０が導電線や導電板などの部材を介して遊技機の除電部（図示せず）と電気的に接続されることによって、コインＣに帯電した静電気は遊技機の除電部（図示せず）から放電される。
【０１１７】
（コインセレクタの動作）
まず、図１９および図２０を参照しながら、遊技機が受入許可状態にある場合について説明する。遊技機が受入許可状態の時、コインＣがコインセレクタ１００のコイン投入口１２２に投入されると、コイン投入検知部７００によってコインＣの投入が検知され、第１の回転停止装置３０４のソレノイド３６４が励磁され、スライド部材３５２を介してストッパ３３２の揺動レバー３３６が傾斜姿勢となる。これにより、ストッパ３３２の係止体３３８が退出位置Ｐ１に位置すると共に、可動ガイドレール４０２がコイン通路１０６内に突出する第１姿勢Ｓ１に保持される。この状態において、コイン投入検知部７００を通過したコインＣは、コイン通路１０６を転動し、図１９（ａ）に示すように、羽根車３０２の羽根３２１に接触（または衝突）する。これにより、羽根３２１にはコインＣの押動力が作用し、羽根車３０２は図１９（ａ）の時計方向に回転を開始する。コイン通路１０６におけるコインＣの下流への移動に伴い、羽根車３０２の回転が継続されて図１９（ｂ）に示す状態となる。そして、羽根３０２はストッパ３３２上を通過し、図１９（ｃ）に示す状態となる。このとき、コイン投入口１２２から次のコインＣが投入され、コイン通路１０６を転動して先行するコインＣと後続のコインＣとが連続した状態でコイン通路１０６を移動する。
【０１１８】
先行するコインＣによる羽根３２１に対する押動が継続されることにより、羽根車３０２の回転も継続し、図２０（ａ）に示す状態となる。この時、羽根３２２の先端部３２２ａ、３２２ｂが先行するコインＣと後続のコインＣとの間に形成される隙間ＳＰ（図１１（ｂ）参照）に挿入され、先行するコインＣと後続のコインＣとが羽根３２２により分離される。この時、先行するコインＣが羽根３２１を押動すると共に、後続のコインＣが羽根３２２を押動する。これにより、羽根車３０２の回転が継続されて、図２０（ｂ）に示す状態となる。この時点で、羽根３２１はコイン通路１０６から退出し、先行するコインＣによる羽根３２１への押動が終了する。そのため、先行するコインＣは重力加速度により速度を上げながら右斜め下方に移動し、図２０（ｃ）に示すように、コイン排出口１２４から排出される。他方、後続のコインＣによる羽根３２２の押動により羽根車３０２の回転は継続される。以上の動作が繰り返されることにより、コイン投入口１２２に投入されたコインＣがコイン排出口１２４から順次排出される。
【０１１９】
次に、図２１を参照しながら、遊技機が受入許可状態から受入拒否状態に移行した場合について説明する。遊技機が受入許可状態の時、図１９（ａ）の場合と同様に、コイン投入口１２２からコインＣが投入されると、コインＣはコイン通路１０６を転動し、コインＣにより羽根３２１が押動されて羽根車３０２が回転を開始し、図２１（ａ）の状態となる。その直後に遊技機が受入拒否状態になると、ソレノイド３６４が消磁され、スライド部材３５２を介してストッパ３３２の揺動レバー３３６が起立姿勢となる。これにより、ストッパ３３２の係止体３３８が退出位置Ｐ１から突出位置Ｐ２に変位すると共に、姿勢保持機構４０６による可動ガイドレール４０２の第１姿勢Ｓ１における保持状態が解除される。コイン通路１０６におけるコインＣの下流への移動に伴い、羽根車３０２の回転が継続され、羽根３２１が図１９（ｂ）に示す位置に移動すると、開口１４８から突出するストッパ３３２の係止面３４６に羽根３２１が係止され、羽根車３０２の回転が停止される。これにより、コインＣの下流への移動が羽根３２１により阻止されると共に、コインＣの自重により可動ガイドレール４０２が第１姿勢Ｓ１から第２姿勢Ｓ２に姿勢変更され、図２１（ｃ）に示すように、コインＣがコイン通路１０６から落下する。さらに、後続のコインＣも同様にしてコイン通路１０６から順次落下する。
【０１２０】
次に、図２３から図２４を参照しながら、回転検出装置５０４およびコイン検知装置１１６の出力波形について説明する。まず、正常時における出力波形について説明する。図２３において、時間Ｔ０は、コイン通路１０６に突出した羽根３２１、３２２、３２３の先端部３２２ｂがストッパ３３２に接触し、羽根車３０２が静止状態にある場合（図１９（ｂ））を示す。この場合において、コイン投入口１２２に投入されたコインＣにより羽根車３０２が回転され、図１９（ｃ）から図２０（ａ）の状態になるまでの間に、回転検出信号ＲＳとしてパルスＰ１−１が時間Ｔ１の間出力され、時間Ｔ２経過後、再度図１９（ｃ）から図２０（ａ）の状態になるまでの間に、パルスＰ１−２が出力される。なお、本実施例では、回転検出信号ＲＳのパルス出力時間Ｔ１とパスル非出力時間Ｔ２の関係がＴ１≦Ｔ２となるように、回転体５０６の切り欠き５０７が設けられている。そして、図２０（ａ）から図２０（ｃ）の状態に至る過程において、回転検出信号ＲＳが検出される状態から検出されない状態に変移する範囲で、第１コイン検知信号ＣＳ１のパルスＰ２−１が時間Ｔ３の間出力される。換言すれば、回転検出信号ＲＳのパルスＰ１−１が出力され、時間Ｔ４経過後、第１コイン検知信号ＣＳ１のパルスＰ２−１が時間Ｔ５の間、回転検出信号ＲＳのパルスＰ１−１と同時に出力される。後続のコインＣについても同様に、回転検出信号ＲＳのパルスＰ１−２と第１コイン検知信号ＣＳ１のパルスＰ２−２が対応して出力される。しかも、時間Ｔ５において回転検出信号ＲＳおよび第１コイン検知信号ＣＳ１が同時に出力されるので、この時間Ｔ５において回転検出信号ＲＳおよび第３コイン検知信号ＣＳ３の論理積から正常な状態でコインＣが排出されたと容易に判別できる。
【０１２１】
次に、不正や故障等による異常時における出力波形について説明する。図２４に示すように、回転検出信号ＲＳが出力されていないにもかかわらず、第１コイン検知信号ＣＳ１が出力されている。この場合、回転検出装置５０４の光電センサ５３６の故障や不正行為などによる異常と判別できる。したがって、異常の発生を音や光などで報知することにより、不正行為を防止できる。
【０１２２】
（変形例）
上述した実施例は、本発明を具体化した例を示すものである。したがって、本発明は上述した実施例に限定されるものではなく、本発明の趣旨を外れることなく種々の変形が可能であることは言うまでもない。本発明の実施例のコインセレクタ１００では、第１除電部８００の除電端子８０４は、ネジやボルトなどの締結具から形成されているが、例えば、第２除電部８５０のように、第１ガイド部材２５２と接触する接触端子と、コイルバネなどの弾性部材から形成され、前記接触端子を付勢する付勢部材と、ネジやボルトなどの締結具から形成され、前記接触端子と前記付勢部材を介して電気的に接続される除電端子と、から構成しても構わない。これにより、第２除電部８５０と同様に、付勢部材からの付勢力によって、貫通孔８０６内を第１ガイド部材２５２から離れる方向への移動が抑制され、第１ガイド部材２５２との接触が維持される。
【０１２３】
また、本発明の実施例のコインセレクタ１００では、第１除電部８００の除電線８０２は、線状部材から形成されているが、例えば、第２除電部８５０のように、板状部材から形成しても構わない。
【０１２４】
さらに、本発明の実施例のコインセレクタ１００では、第２除電部８５０の除電端子８５４は、接触端子８５６および付勢部材８５８を介して第２ガイド部材２６０と電気的に接続されているが、例えば、接触端子８５６および付勢部材８５８を用いずに、除電端子８５４と第２ガイド部材２６０とを直接電気的に接続するように構成しても構わない。
【０１２５】
本発明の実施例のコインセレクタ１００では、第２除電部８５０の除電板８６０は、板状部材から形成されているが、例えば、第１除電部８００のように、線状部材から形成しても構わない。
【０１２６】
本発明の実施例のコインセレクタ１００では、第１ガイド部材２５２および第２ガイド部材２６０のそれぞれに第１除電部８００および第２除電部８５０のそれぞれを電気的に接続しているが、例えば、第１ガイド部材２５２および第２ガイド部材２６０のいずれか一方に除電部を電気的に接続するように構成しても構わない。また、第１ガイド部材２５２および第２ガイド部材２６０のうち、除電部が電気的に接続される一方のガイド部材が導電性を有していれば、除電部が電気的に接続されない他方のガイド部材は導電性を有していなくても構わない。
【０１２７】
本発明の実施例のコインセレクタ１００では、コインＣが羽根車３０２を通過中にコイン検知装置１１６に検知されるように、コイン検知装置１１６は羽根車３０２の羽根３２１、３２２、３２３がコイン通路１０６に突出する範囲に配置されているが、例えば、コイン検知装置１１６をコイン通路１０６において羽根車３０２より下流側に配置して、羽根車３０２を通過したコインＣを検出するように構成しても構わない。
【０１２８】
本発明の実施例のコインセレクタ１００では、コインＣはコイン検知装置１１６のコインセンサ４５２で検知しているが、コインセンサを複数個配置し、コインＣが連続的に検知されるように構成しても構わない。これにより、コインＣがコイン投入口１２２側からコイン排出口１２４側に向かってコイン検知装置１１６を通過する場合と、コインＣがコイン排出口１２４側からコイン投入口１２２側に向かってコイン検知装置１１６を通過する場合とで、コイン検知装置１１６の各コインセンサでコインＣが検知される順番が異なるため、不正用器具によるコイン検知装置１１６に対する不正を防止できる。
【０１２９】
本発明の実施例のコインセレクタ１００で、羽根車３０２の回転方向ＢＲへの逆転を防止する機構として、ワンウェイクラッチ５０２と逆転防止装置７３０とが設けられているが、例えば、ワンウェイクラッチ５０２および逆転防止装置７３０のいずれか一方だけで羽根車３０２の回転方向ＢＲへの逆転を防止する構成にしても構わない。
【０１３０】
本発明の実施例のコインセレクタ１００では、コイン投入口１２２にコインＣの投入を検知するコイン投入検知部７００が設けられているが、例えば、コイン投入検知部７００を設けない構成にしても構わない、換言すれば、フラップ７０２および凹部７１６が設けず、第１コイン案内面１４０がコイン投入口１２２から第１コイン通路部１６２を介してコイン選別部１０８まで連続的に形成しても構わない。この場合、本発明の実施例のコインセレクタ１００のようにコイン投入検知部７００でコインＣの投入が検知されないため、コインＣの投入によって第１の回転停止装置３０４の解除が行われないので、例えばコインセレクタ１００が設置される遊技機がプレイ可能状態等のコインＣの受入が可能な状態へ変移するのに連動させて、第１の回転停止装置３０４の解除を行うようにすればよい。
【０１３１】
本発明の実施例のコインセレクタ１００では、コイン投入口１２２にコインＣの投入を検知するコイン投入検知部７００が設けられているが、これに限定される必要はない。例えば、センサ７１４を配置しない構成にしても構わない。この場合、コイン投入口１２２へのコインＣの投入は検知されないが、コインＣがフラップ７０２を通過していない状態では、フラップ７０２は待機位置Ｐ３に位置し、コイン投入口１２２を閉塞する。そのため、糸状部材が固定された不正コインおよび不正部材がコイン投入口１２２から投入された場合、当該糸状部材を引き抜いて当該不正コインおよび不正部材をコイン投入口１２２から取り出そうとしても、フラップ７０２が不正防止部材として機能するため、コインセレクタ１００への不正が抑制される。
【０１３２】
本発明の実施例のコインセレクタ１００では、例えば、コイン落下開口２０８の前面にカバー体を設けても構わない。カバー体を設けることによって、開閉体１０４の前面からコイン落下開口２０８を介してコイン通路１０６にアクセスすることができなくなるため、コインセレクタ１００への不正が抑制される。
【産業上の利用可能性】
【０１３３】
本発明は、パチスロ等のコインを使用する遊技機、両替機、自動販売機、券売機などのコイン処理装置との組合せで好適に利用できる。
【符号の説明】
【０１３４】
１００  コインセレクタ
１０２  ベース
１０４  開閉体
１０６  コイン通路
１０８  コイン選別部
１１０  リジェクト装置
１１２  コイン受入規制装置
１１４  コイン落下装置
１１６  コイン検知装置
１１８  カバー部材
１２０  糸吊り防止装置
１２２  コイン投入口
１２４  コイン排出口
１２６  不正防止装置
１３２  第１ガイド壁
１３４  左側壁
１３４ａ  上端面
１３４ｂ  下端面
１３４ｃ  前端
１３６  右側壁
１３６ａ  上端面
１３６ｂ  下端面
１３８  凹溝
１３９ａ  掛止孔
１３９ｂ  掛止孔
１４０  第１コイン案内面
１４２  突起
１４３  矩形の凹部
１４３ａ  傾斜した底面
１４４  ガイドレール
１４５  突部
１４５ａ  下端面
１４６  カバー部
１４６ａ  底部
１４７  突条
１４８  開口
１４９  突部
１４９ａ  上端面
１５０  背面カバー部材
１５２  支軸
１５４  支軸
１５６  掛止突起
１６２  第１コイン通路部
１６４  第２コイン通路部
１６６  第３コイン通路部
１７２  弧状開口
１７４  矩形の開口
１７６  案内部
１７６ａ  案内面
１７８  矩形の開口
１８０  横長矩形の開口
１８２  リジェクト通路
１９２  軸支持部
１９４  軸支持部
２０２  第２ガイド壁
２０３  第３ガイド壁
２０４  開閉体枠
２０６  第２コイン案内面
２０８  コイン落下開口
２１２  上側枠部
２１３  左側枠部
２１４  下側枠部
２１５  右側枠部
２１６  上側揺動レバー
２１８  下側揺動レバー
２１９  突部
２２０  軸挿入孔
２２２  軸挿入孔
２２４  掛止突起
２３０  カバー部
２３１  リブ
２３２  リブ
２３３  リブ
２３４  切り欠き
２３６  切り欠き
２３８  上部分
２４０  中間部分
２４２  下部分
２４２ａ  斜面
２４４  右側端部
２５２  第１ガイド部材
２５３  上端面
２５６  ガイドレール
２６０  第２ガイド部材
２６２  逸らせ装置
２６４  下端面
２６４ａ  湾曲面
２６４ｂ  平面
２６６  第３コイン案内面
２６８  逸らせ体
２７２  支軸
２８０  被動レバー
２８０ａ  傾斜面
２８２  押動レバー
２８６  案内突条
２８８  弧状端面
３０２  羽根車
３０４  第１の回転停止装置
３０６  羽根支持体
３０８  外周面
３１０  軸孔
３１２  支軸
３１４  突起板
３１６  小径部
３１８  大径部
３２１  羽根
３２２  羽根
３２３  羽根
３２６  切り欠き
３２７  切り欠き
３３２  ストッパ
３３４  支軸
３３６  揺動レバー
３３８  係止体
３４２  回動部
３４４  被動部
３４６  係止面
３５２  スライド部材
３５３  係止溝
３５４  本体部分
３５６  被動部分
３５６ａ  凹溝
３５６ｂ  貫通孔
３５８  被案内部分
３６０  駆動装置
３６２  アーマチャ
３６２ａ  先端部
３６４  ソレノイド
４０２  可動ガイドレール
４０４  支軸
４０６  姿勢保持機構
４０８  案内面
４１２  ガイドレール本体部
４１４  錘部
４１６  係止体
４１６ａ  斜面
４１８  レバー
４２０  保持体
４５２  コインセンサ
４５６  センサ保持部
４５８  コインセンサ
４６４  支軸
４６６  引き戻し防止体
４７０  係止突起
４７２  係止凹部
４７４  凹溝
４８２  羽根車カバー部
４８４  落下コイン案内部
４８５  第４ガイド壁
４８６  左端部
４８７  左側壁
４８８  右側壁
４９０  前壁
４９２  筒状体
４９４  第４コイン案内面
４９６  掛止突起
５０２  ワンウェイクラッチ
５０４  回転検出装置
５０６  回転体
５０６ａ  外周縁
５０６ｂ  上面
５０７  切り欠き
５０８  傾斜溝
５０８ａ  内端面
５０８ｂ  傾斜底面
５１０  球体
５１２  球体移動規制体
５１４  支持体
５１６  貫通孔
５２４  検知器
５２６  縁部
５２８  縁部
５３２  作用領域
５３３  被検知部
５３４  非作用領域
５３６  光電センサ
６００  第２の回転停止装置
６０２  ストッパ
６０４  端部
６０６  揺動部材
６０８  支軸
６１０  係止部
７００  コイン投入検知部
７０２  フラップ
７０６  軸受
７０８  平板部
７１０  支軸
７１２  検知レバー
７１４  センサ
７１６  凹部
７１８  貫通孔
７３０  逆転防止装置
７３２  歯止め部
７３２ａ  歯止め先端部
７３２ｂ  付勢部
７３４  ギヤ部
７３６  支軸
８００  第１除電部
８０２  除電線
８０４  除電端子
８０６  貫通孔
８０８  溝
８５０  第２除電部
８５２  切欠
８５４  除電端子
８５６  接触端子
８５８  付勢部材
８６０  導電板
８６２  貫通孔
ＢＲ  回転方向
Ｃ  コイン
ＣＬ  直径線
ＣＳ１  第１コイン検知信号
ＣＳ２  第２コイン検知信号
Ｄ１  間隔
Ｄ２  長さＤ
ＦＲ  回転方向
ＩＴ  不正用器具
Ｌ１  軸線
Ｌ２  直線
Ｌ３  軸線
Ｐ１  退出位置
Ｐ２  突出位置
Ｐ３  待機位置
Ｐ４  許容位置
ＲＬ  回転軸線
ＲＳ  回転検出信号
Ｓ１  第１姿勢
Ｓ２  第２姿勢
ＳＰ  隙間
ＴＬ１  接線
ＴＬ２  接線
ＶＦ  分力
【図１１】
2017068395.tif 000003
【図１２】
2017068395.tif 000004
【図１３】
2017068395.tif 000005
【図１４】
2017068395.tif 000006
【図１５】
2017068395.tif 000007
【図１６】
2017068395.tif 000008
【図１７】
2017068395.tif 000009
【図１８】
2017068395.tif 000010
【図１９】
2017068395.tif 000011
【図２０】
2017068395.tif 000012
【図２１】
2017068395.tif 000013
【図２２】
2017068395.tif 000014
【図２３】
2017068395.tif 000015
【図２４】
2017068395.tif 000016
【図１】
2017068395.tif 000017
【図２】
2017068395.tif 000018
【図３】
2017068395.tif 000019
【図４】
2017068395.tif 000020
【図５】
2017068395.tif 000021
【図６】
2017068395.tif 000022
【図７】
2017068395.tif 000023
【図８】
2017068395.tif 000024
【図９】
2017068395.tif 000025
【図１０】
2017068395.tif 000026
【図２５】
2017068395.tif 000027